(57)【要約】  情報提供方法は、エアロゾル生成装置に対応付けられたユーザ端末が受信したビーコン信号に関する情報を、当該ユーザ端末に対してメッセージを送信可能なメッセージ交換システムに含まれるサーバから取得するステップと、取得した前記ビーコン信号に関する情報に基づいて、前記エアロゾル生成装置のユーザに提供する当該エアロゾル生成装置に関連する情報である提供情報を作成するステップと、前記提供情報を、前記サーバへ送信するステップと、を含む。
2020179031.tif 000002
【特許請求の範囲】
【請求項１】
エアロゾル生成装置に対応付けられたユーザ端末が受信したビーコン信号に関する情報を、当該ユーザ端末に対してメッセージを送信可能なメッセージ交換システムに含まれるサーバから取得するステップと、
取得した前記ビーコン信号に関する情報に基づいて、前記エアロゾル生成装置のユーザに提供する当該エアロゾル生成装置に関連する情報である提供情報を作成するステップと、
前記提供情報を、前記サーバへ送信するステップと、
を含む情報提供方法。
【請求項２】
前記ビーコン信号に関する情報に基づいて、前記ビーコン信号に関する情報の取得状況を示す情報を導出するステップと、
前記取得状況を示す情報に基づいて、前記提供情報を作成するステップと、を更に含む、請求項１に記載の情報提供方法。
【請求項３】
前記取得状況は、所定期間における、前記ユーザ端末のビーコン信号の受信回数である、請求項２に記載の情報提供方法。
【請求項４】
前記取得状況は、前記ユーザ端末がビーコン信号の受信を継続している時間である、請求項２に記載の情報提供方法。
【請求項５】
前記取得状況を示す前記情報に基づいて、前記提供情報として、前記エアロゾル生成装置のユーザに対して付与する報償を示す情報である報償情報を作成するステップと、
前記報償情報を、前記サーバへ送信するステップと、を更に含む、請求項２から請求項４のいずれか一項に記載の情報提供方法。
【請求項６】
前記取得状況を示す情報に基づいて決定されるタイミングで、前記提供情報を、前記サーバへ送信するステップを更に含む、請求項２から請求項５のいずれか一項に記載の情報提供方法。
【請求項７】
前記ビーコン信号は、前記エアロゾル生成装置を使用可能な場所に設けられた所定の装置から送信される、請求項１から請求項６のいずれか一項に記載の情報提供方法。
【請求項８】
前記エアロゾル生成装置を検出したことに基づいて発信された前記ビーコン信号に関する情報を、前記サーバから取得するステップを更に含む、請求項１から請求項７のいずれか一項に記載の情報提供方法。
【請求項９】
前記エアロゾル生成装置が発する所定の信号を検出したことに基づいて発信された前記ビーコン信号に関する情報を、前記サーバから取得するステップを更に含む、請求項１から請求項７のいずれか一項に記載の情報提供方法。
【請求項１０】
前記エアロゾル生成装置から発信され、前記ユーザ端末以外の他のユーザ端末が受信した前記ビーコン信号に関する情報を、前記サーバから取得するステップを更に含む、請求項１から請求項７のいずれか一項に記載の情報提供方法。
【請求項１１】
前記ユーザ端末と前記エアロゾル生成装置との接続が切れたことに基づいて、当該エアロゾル生成装置が発信した前記ビーコン信号に関する情報を、前記サーバから取得するステップを更に含む、請求項１から請求項７のいずれか一項に記載の情報提供方法。
【請求項１２】
前記エアロゾル生成装置の位置情報を含む前記ビーコン信号に関する情報を、前記サーバから取得するステップを更に含む、請求項１から請求項７のいずれか一項に記載の情報提供方法。
【請求項１３】
前記位置情報に基づいて、前記エアロゾル生成装置のユーザに対して、当該エアロゾル生成装置の位置情報に関する情報を、前記サーバから取得するステップを更に含む、請求項１２に記載の情報提供方法。
【請求項１４】
コンピュータに、
エアロゾル生成装置に対応付けられたユーザ端末が受信したビーコン信号に関する情報を、当該ユーザ端末に対してメッセージを送信可能なメッセージ交換システムに含まれるサーバから取得する工程と、
取得した前記ビーコン信号に関する情報に基づいて、前記エアロゾル生成装置のユーザに提供する当該エアロゾル生成装置に関連する情報である提供情報を作成する工程と、
前記提供情報を、前記サーバへ送信する工程と、
を実行させるためのプログラム。
【請求項１５】
エアロゾル生成装置に対応付けられたユーザ端末が受信したビーコン信号に関する情報を、当該ユーザ端末に対してメッセージを送信可能なメッセージ交換システムに含まれるサーバから取得する取得部と、
前記取得部が取得した前記ビーコン信号に関する前記情報に基づいて、前記エアロゾル生成装置のユーザに提供する当該エアロゾル生成装置に関連する情報である提供情報を作成する作成部と、
前記提供情報を、前記サーバへ送信する通信部と、
を含む情報処理装置。
【請求項１６】
エアロゾル生成装置に対応付けられたユーザ端末が受信したビーコン信号に関する情報を、取得する取得部と、
前記取得部が取得した前記ビーコン信号に関する前記情報に基づいて、前記エアロゾル生成装置のユーザに提供する当該エアロゾル生成装置に関連する情報である提供情報を作成する作成部と、
前記提供情報を、前記ユーザ端末へ送信する通信部と、
を含む情報処理装置。
【請求項１７】
エアロゾル生成装置に含まれるバッテリであって、
ユーザ端末と通信する通信部と、
前記ユーザ端末との間の接続が切断された場合に、ビーコン信号を作成する作成部と
を備え、
前記通信部は、前記作成部が作成したビーコン信号を送信する、バッテリ。
【請求項１８】
エアロゾル生成装置に対応付けられた端末装置であって、
ビーコン信号を受信する通信部と、
受信した前記ビーコン信号に含まれる当該ビーコン信号を一意に識別可能なビーコン識別子と、前記端末装置のユーザを一意に識別可能なユーザ識別子とを含む識別情報を作成する作成部と、を含み、
前記通信部は、前記識別情報を、前記端末装置に対してメッセージを送信可能なメッセージ交換システムに含まれるサーバに送信する、端末装置。
【請求項１９】
エアロゾルを生成するエアロゾル生成装置と、
前記エアロゾル生成装置と通信接続可能な端末装置と、
前記端末装置に対してメッセージを送信可能なメッセージ交換システムに含まれるサーバと、
前記サーバから、前記エアロゾル生成装置に対応付けられたユーザ端末が受信したビーコン信号に関する情報を受信する情報処理装置と、を含み、
前記情報処理装置は、取得した前記ビーコン信号に関する情報に基づいて、前記エアロゾル生成装置のユーザに提供する当該エアロゾル生成装置に関連する情報である提供情報を作成し、作成した前記提供情報を前記サーバへ送信する、情報提供システム。
【発明の詳細な説明】
【技術分野】
【０００１】
本発明は、情報提供方法、プログラム、情報処理装置、バッテリ、端末装置及び情報提供システムに関する。
【背景技術】
【０００２】
ビーコン信号を用いて、サービスを提供するシステムに関して、ユーザに応じたコンテンツを配信する技術が知られている（例えば、特許文献１参照）。この技術では、ユーザ端末は、ビーコン信号を受信した場合に、ビーコン信号を受信したことを示す情報を、サーバへ送信する。ユーザ端末は、サーバへ送信したビーコン信号を受信したことを示す情報に基づいた所定の情報を受信する。所定の情報は、少なくともビーコン信号に予め関連付けられた情報を含む。
【先行技術文献】
【特許文献】
【０００３】
【特許文献１】特開２０１７−２０４１０２号公報
【発明の概要】
【発明が解決しようとする課題】
【０００４】
前述した技術では、ユーザ端末が受信する所定の情報は、ビーコン信号に予め関連付けられている。このため、ユーザ端末が受信する情報のバリエーションを増加させることは難しい。
本発明は、前述した点に鑑みてなされたものであり、その目的は、ビーコン信号を用いて、サービスを提供するシステムにおいて、ビーコン信号を受信したユーザ端末へ提供する情報のバリエーションを増加させることが可能な情報提供方法、プログラム、情報処理装置、バッテリ、端末装置及び情報提供システムを提供することである。
【課題を解決するための手段】
【０００５】
本発明の実施形態によれば、エアロゾル生成装置に対応付けられたユーザ端末が受信したビーコン信号に関する情報を、当該ユーザ端末に対してメッセージを送信可能なメッセージ交換システムに含まれるサーバから取得するステップと、取得した前記ビーコン信号に関する情報に基づいて、前記エアロゾル生成装置のユーザに提供する当該エアロゾル生成装置に関連する情報である提供情報を作成するステップと、前記提供情報を、前記サーバへ送信するステップと、を含む情報提供方法が提供される。
一実施形態において、前記ビーコン信号に関する情報に基づいて、前記ビーコン信号に関する情報の取得状況を示す情報を導出するステップと、前記取得状況を示す情報に基づいて、前記提供情報を作成するステップと、を更に含むようにしてもよい。
一実施形態において、前記取得状況は、所定期間における、前記ユーザ端末のビーコン信号の受信回数であってよい。
一実施形態において、前記取得状況は、前記ユーザ端末がビーコン信号の受信を継続している時間であってよい。
一実施形態において、前記取得状況を示す前記情報に基づいて、前記提供情報として、前記エアロゾル生成装置のユーザに対して付与する報償を示す情報である報償情報を作成するステップと、前記報償情報を、前記サーバへ送信するステップと、を更に含むようにしてもよい。
一実施形態において、前記取得状況を示す情報に基づいて決定されるタイミングで、前記提供情報を、前記サーバへ送信するステップを更に含むようにしてもよい。
一実施形態において、前記ビーコン信号は、前記エアロゾル生成装置を使用可能な場所に設けられた所定の装置から送信されてもよい。
一実施形態において、前記エアロゾル生成装置を検出したことに基づいて発信された前記ビーコン信号に関する情報を、前記サーバから取得するステップを更に含むようにしてもよい。
一実施形態において、前記エアロゾル生成装置が発する所定の信号を検出したことに基づいて発信された前記ビーコン信号に関する情報を、前記サーバから取得するステップを更に含むようにしてもよい。
一実施形態において、前記エアロゾル生成装置から発信され、前記ユーザ端末以外の他のユーザ端末が受信した前記ビーコン信号に関する情報を、前記サーバから取得するステップを更に含むようにしてもよい。
一実施形態において、前記ユーザ端末と前記エアロゾル生成装置との接続が切れたことに基づいて、当該エアロゾル生成装置が発信した前記ビーコン信号に関する情報を、前記サーバから取得するステップを更に含むようにしてもよい。
一実施形態において、前記エアロゾル生成装置の位置情報を含む前記ビーコン信号に関する情報を、前記サーバから取得するステップを更に含むようにしてもよい。
一実施形態において、前記位置情報に基づいて、前記エアロゾル生成装置のユーザに対して、当該エアロゾル生成装置の位置情報に関する情報を、前記サーバから取得するステップを更に含むようにしてもよい。
本発明の実施形態によれば、コンピュータに、エアロゾル生成装置に対応付けられたユーザ端末が受信したビーコン信号に関する情報を、当該ユーザ端末に対してメッセージを送信可能なメッセージ交換システムに含まれるサーバから取得する工程と、取得した前記ビーコン信号に関する情報に基づいて、前記エアロゾル生成装置のユーザに提供する当該エアロゾル生成装置に関連する情報である提供情報を作成する工程と、前記提供情報を、前記サーバへ送信する工程と、を実行させるためのプログラムが提供される。
本発明の実施形態によれば、エアロゾル生成装置に対応付けられたユーザ端末が受信したビーコン信号に関する情報を、当該ユーザ端末に対してメッセージを送信可能なメッセージ交換システムに含まれるサーバから取得する取得部と、前記取得部が取得した前記ビーコン信号に関する前記情報に基づいて、前記エアロゾル生成装置のユーザに提供する当該エアロゾル生成装置に関連する情報である提供情報を作成する作成部と、前記提供情報を、前記サーバへ送信する通信部と、を含む情報処理装置が提供される。
本発明の実施形態によれば、エアロゾル生成装置に対応付けられたユーザ端末が受信したビーコン信号に関する情報を、取得する取得部と、前記取得部が取得した前記ビーコン信号に関する前記情報に基づいて、前記エアロゾル生成装置のユーザに提供する当該エアロゾル生成装置に関連する情報である提供情報を作成する作成部と、前記提供情報を、前記ユーザ端末へ送信する通信部と、を含む情報処理装置が提供される。
本発明の実施形態によれば、エアロゾル生成装置に含まれるバッテリであって、ユーザ端末と通信する通信部と、前記ユーザ端末との間の接続が切断された場合に、ビーコン信号を作成する作成部とを備え、前記通信部は、前記作成部が作成したビーコン信号を送信する、バッテリが提供される。
本発明の実施形態によれば、エアロゾル生成装置に対応付けられた端末装置であって、ビーコン信号を受信する通信部と、受信した前記ビーコン信号に含まれる当該ビーコン信号を一意に識別可能なビーコン識別子と、前記端末装置のユーザを一意に識別可能なユーザ識別子とを含む識別情報を作成する作成部と、を含み、前記通信部は、前記識別情報を、前記端末装置に対してメッセージを送信可能なメッセージ交換システムに含まれるサーバに送信する、端末装置が提供される。
本発明の実施形態によれば、エアロゾルを生成するエアロゾル生成装置と、前記エアロゾル生成装置と通信接続可能な端末装置と、前記端末装置に対してメッセージを送信可能なメッセージ交換システムに含まれるサーバと、前記サーバから、前記エアロゾル生成装置に対応付けられたユーザ端末が受信したビーコン信号に関する情報を受信する情報処理装置と、を含み、前記情報処理装置は、取得した前記ビーコン信号に関する情報に基づいて、前記エアロゾル生成装置のユーザに提供する当該エアロゾル生成装置に関連する情報である提供情報を作成し、作成した前記提供情報を前記サーバへ送信する、情報提供システムが提供される。
【発明の効果】
【０００６】
本発明の実施形態によれば、ビーコン信号を用いて、サービスを提供するシステムにおいて、ビーコン信号を受信したユーザ端末へ提供する情報のバリエーションを増加させることが可能な情報提供方法、プログラム、情報処理装置、バッテリ、端末装置及び情報提供システムを提供できる。
【図面の簡単な説明】
【０００７】
【図１】第１の実施形態の情報提供システムの一例を示す図である。
【図２】第１の実施形態のエアロゾル生成装置の概略構成を示すブロック図である。
【図３】第１の実施形態のエアロゾル生成装置の他の概略構成を示すブロック図である。
【図４】第１の実施形態のエアロゾル生成装置の他の概略構成を示すブロック図である。
【図５】第１の実施形態のエアロゾル生成装置の他の概略構成を示すブロック図である。
【図６】第１の実施形態のエアロゾル生成装置の他の概略構成を示すブロック図である。
【図７】第１の実施形態のエアロゾル生成装置の他の概略構成を示すブロック図である。
【図８】第１の実施形態の情報提供システムの一例を示すブロック図である。
【図９】ビーコン関連情報の一例を示す図である。
【図１０】ユーザ通知情報の一例を示す図である。
【図１１】第１の実施形態の情報提供システムの動作の一例を示すシーケンスチャートである。
【図１２】第１の実施形態の変形例の情報処理装置の一例を示すブロック図である。
【図１３】ポイント付与情報の一例を示す図である。
【図１４】ポイント情報の一例を示す図である。
【図１５】第２の実施形態の情報提供システムに含まれるエアロゾル生成装置と、ビーコン送信装置との一例を示すブロック図である。
【図１６】第２の実施形態の情報提供システムの動作の一例を示すシーケンスチャートである。
【図１７】第３の実施形態の情報提供システムの一例を示す図である。
【図１８】第３の実施形態の情報提供システムの一例を示すブロック図である。
【図１９】第３の実施形態の情報提供システムの動作の一例を示すシーケンスチャートである。
【図２０】第３の実施形態の情報提供システムの動作の一例を示すシーケンスチャートである。
【図２１】バッテリ装置の概略機能構成を示すブロック図である。
【図２２】バッテリ装置の他の概略機能構成を示すブロック図である。
【発明を実施するための形態】
【０００８】
次に、本実施形態の情報提供方法、プログラム、情報処理装置、バッテリ、端末装置及び情報提供システムを、図面を参照しつつ説明する。以下で説明する実施形態は一例に過ぎず、本発明が適用される実施形態は、以下の実施形態に限られない。
なお、実施形態を説明するための全図において、同一の機能を有するものは同一符号を用い、繰り返しの説明は省略する。
また、本願でいう「ＸＸに基づいて」とは、「少なくともＸＸに基づく」ことを意味し、ＸＸに加えて別の要素に基づく場合も含む。また、「ＸＸに基づいて」とは、ＸＸを直接に用いる場合に限定されず、ＸＸに対して演算や加工が行われたものに基づく場合も含む。「ＸＸ」は、任意の要素（例えば、任意の情報）である。
【０００９】
（第１の実施形態）
（情報提供システム）
本発明の第１の実施形態の情報提供システムを、図面を参照して説明する。
図１は、第１の実施形態の情報提供システムの一例を示す図である。本実施形態の情報提供システム１は、ビーコン送信装置１０と、ユーザ端末５０と、エアロゾル生成装置７０と、サーバ１００と、情報処理装置２００とを備える。ユーザ端末５０と、サーバ１００と、情報処理装置２００とは、通信網ＮＥＴを介して互いに、接続される。通信網ＮＥＴは、例えば、無線基地局、Ｗｉ−Ｆｉアクセスポイント、通信回線、プロバイダ、インターネットなどを含む。なお、通信網ＮＥＴは、一部にローカルなネットワークを含んでもよい。また、ユーザ端末は、端末装置と示されてもよい。
通信網ＮＥＴは、例えば、有線ネットワークや無線ネットワークであってもよい。通信網ＮＥＴは、例えば、Ｗｉ−Ｆｉ（登録商標）、アドホック・ネットワーク（ａｄ  ｈｏｃ  ｎｅｔｗｏｒｋ）、イントラネット、エクストラネット、仮想プライベート・ネットワーク（ｖｉｒｔｕａｌ  ｐｒｉｖａｔｅ  ｎｅｔｗｏｒｋ：ＶＰＮ）、ローカル・エリア・ネットワーク（ｌｏｃａｌ  ａｒｅａ  ｎｅｔｗｏｒｋ：ＬＡＮ）、ワイヤレスＬＡＮ（ｗｉｒｅｌｅｓｓ  ＬＡＮ：ＷＬＡＮ）、広域ネットワーク（ｗｉｄｅ  ａｒｅａ  ｎｅｔｗｏｒｋ：ＷＡＮ）、ワイヤレスＷＡＮ（ｗｉｒｅｌｅｓｓ  ＷＡＮ：ＷＷＡＮ）、大都市圏ネットワーク（ｍｅｔｒｏｐｏｌｉｔａｎ  ａｒｅａ  ｎｅｔｗｏｒｋ：ＭＡＮ）、インターネットの一部、公衆交換電話網（Ｐｕｂｌｉｃ  Ｓｗｉｔｃｈｅｄ  Ｔｅｌｅｐｈｏｎｅ  Ｎｅｔｗｏｒｋ：ＰＳＴＮ）、ＩＳＤＮｓ（ｉｎｔｅｇｒａｔｅｄ  ｓｅｒｖｉｃｅ  ｄｉｇｉｔａｌ  ｎｅｔｗｏｒｋｓ）、ＬＴＥ（ｌｏｎｇ  ｔｅｒｍ  ｅｖｏｌｕｔｉｏｎ）、ＣＤＭＡ（ｃｏｄｅ  ｄｉｖｉｓｉｏｎ  ｍｕｌｔｉｐｌｅ  ａｃｃｅｓｓ）、ブルートゥース（登録商標）（Ｂｌｕｅｔｏｏｔｈ）、ＢＬＥ（Ｂｌｕｅｔｏｏｔｈ  Ｌｏｗ  Ｅｎｅｒｇｙ）、ＬＰＷＡＮ（Ｌｏｗ  Ｐｏｗｅｒ  Ｗｉｄｅ  Ａｒｅａ  Ｎｅｔｗｏｒｋ）であってもよい。また、通信網ＮＥＴは、衛星通信であってもよい。また、通信網ＮＥＴは、例えば、ＵＳＢ（Ｕｎｉｖｅｒｓａｌ  Ｓｅｒｉａｌ  Ｂｕｓ）、Ｍｉｎｉ  ＵＳＢ、Ｍｉｃｒｏ  ＵＳＢ、Ｌｉｇｈｔｎｉｎｇなどの有線通信であってもよい。また、通信網ＮＥＴは、これらの組合せを含んでいてもよい。ただし、通信網ＮＥＴは、これらに限定されない。
【００１０】
情報提供システム１は、エアロゾル生成装置７０のユーザが保持するユーザ端末５０が、ビーコン送信装置１０が送信するビーコン信号を受信したことを契機として、そのユーザ端末５０に、エアロゾル生成装置７０に関する情報を提供する。
ビーコン送信装置１０は、ビーコンＩＤを含むビーコン信号を、所定の周期で送信する。ビーコンＩＤは、ビーコン信号を一意に識別可能な識別子である。また、所定の周期は、例えば、１秒周期や５秒周期など、どのような長さの周期であってもよい。例えば、ビーコン送信装置１０は、喫煙所などの喫煙が許可された場所、店舗などに設置されていてもよい。本実施形態では、一例として、ビーコン送信装置１０が喫煙所に設置されている場合について説明を続ける。
ユーザ端末５０は、エアロゾル生成装置７０のユーザのユーザＩＤを記憶している。ユーザＩＤは、ユーザを一意に識別可能な識別子である。また、ユーザ端末５０は、ビーコンＩＤと、サーバ１００のアドレスとを関連付けて記憶している。ユーザ端末５０は、ビーコン送信装置１０が送信したビーコン信号を受信し、受信したビーコン信号に含まれるビーコンＩＤと、ユーザＩＤとを含み、ビーコンＩＤに関連付けて記憶されているサーバ１００のアドレスを宛先とする識別情報を作成する。ユーザ端末５０は、作成した識別情報を、サーバ１００へ送信する。
【００１１】
エアロゾル生成装置７０の一例は、電力を用いてリキッド（エアロゾル源）を霧化し、エアロゾルを生成する装置である。エアロゾルは、エアロゾル源を霧化したものであり、気体中を浮遊する程度に微小な粒子である。エアロゾル生成装置７０が発生させるエアロゾルは香味を伴うものであってよい。エアロゾル生成装置７０の例としては、加熱式たばこ（Ｔ−ｖａｐｏｒやＩｎｆｕｓｅｄ）および電子たばこ（Ｅ−ｖａｐｏｒ）などが挙げられる。また、エアロゾル生成装置７０は、たばこを直接加熱する（直接加熱）タイプや、たばこを間接的に加熱する（間接加熱）タイプ、液体（リキッド）を加熱するタイプを含む。また、エアロゾル生成装置７０は、櫛形電極対を有する圧電素子基板を用いてＳＡＷ（Ｓｕｒｆａｃｅ  Ａｃｏｕｓｔｉｃ  Ｗａｖｅ）を発生させることによって液体を霧化するものであってもよい。このように、エアロゾル生成装置７０は、燃焼型のデバイスや非燃焼型のデバイス、加熱型のデバイス、非加熱型のデバイスなど、各種のデバイスを含む。
また、エアロゾル生成装置７０が櫛形電極対を有する圧電素子基板を用いてＳＡＷを発生させることによって液体を霧化するものである場合、エアロゾル生成装置７０は、例えば、霧化ユニットとして、櫛形電極対を有する圧電素子基板と、液体のエアロゾル源を当該圧電素子基板に供給するように構成された液供給部とを備える。圧電素子基板は、櫛形電極対に高周波で電圧を印加することによって生じる表面弾性波によってエアロゾル源を霧化するように構成されていてもよい。また、圧電素子基板は、表面弾性波によって霧化される所望のエアロゾルに基づいて定められる数の櫛形電極対を有する。なお、櫛形電極対の数は、所望のエアロゾルに基づいて定められる。そのため、櫛形電極対に供給可能な電力が限られる霧化ユニットにおいて、エアロゾル源の霧化効率の向上によって適切な霧化ユニットを提供することができる。
なお、これらはあくまでも一例であって、エアロゾル生成装置７０はエアロゾルを発生させる装置であれば、どのような装置であってもよい。
【００１２】
サーバ１００は、ユーザ端末５０に対してメッセージを送信可能なメッセージ交換システムに含まれる。サーバ１００は、ビーコンＩＤと情報処理装置２００のアドレスと受信位置情報とを関連付けて記憶している。ここで、受信位置情報は、ビーコン信号を受信した位置に関連する情報である。ビーコン信号を受信した位置に関連する情報の一例は、そのビーコン信号を送信したビーコン送信装置１０が設置されている喫煙所に関する情報である。
サーバ１００は、ユーザ端末５０が送信した識別情報を受信し、受信した識別情報に含まれるビーコンＩＤと、ユーザＩＤとを取得する。また、サーバ１００は、取得したビーコンＩＤに関連付けられている情報処理装置２００のアドレスと、受信位置情報とを取得する。さらに、サーバ１００は、取得したユーザＩＤと、受信位置情報とを含み、情報処理装置２００のアドレスを宛先とする位置情報通知を作成し、作成した位置情報通知を、情報処理装置２００に送信する。
情報処理装置２００は、ユーザＩＤと、受信位置情報と、提供情報とを関連付けて記憶する。ここで、提供情報は、ユーザＩＤに該当するユーザが保有するエアロゾル生成装置７０に関する広告や、注意事項などの情報である。エアロゾル生成装置７０に関する広告の一例は、エアロゾル生成装置７０の本体、フレーバに関する広告、エアロゾル生成装置７０の新製品の情報などである。なお、エアロゾル生成装置７０に関する情報は、受信位置情報に応じて異なる情報であってもよい。
情報処理装置２００は、サーバ１００が送信した位置情報通知を受信し、受信した位置情報通知に含まれるユーザＩＤと、受信位置情報とを取得する。情報処理装置２００は、取得したユーザＩＤと、受信位置情報との組み合わせに関連付けて記憶されている提供情報を取得する。情報処理装置２００は、取得した提供情報と、ユーザＩＤとを含み、サーバ１００のアドレスを宛先とする提供情報通知を作成し、作成した提供情報通知を、サーバ１００に送信する。
【００１３】
サーバ１００は、情報処理装置２００が送信した提供情報通知を受信し、受信した提供情報通知に含まれる提供情報と、ユーザＩＤとを取得する。サーバ１００は、取得した提供情報を含み、ユーザＩＤに該当するユーザ端末５０のアドレスを宛先とするユーザへ通知する情報（以下「ユーザ通知情報」という）を作成し、作成したユーザ通知情報を、ユーザ端末５０に送信する。
ユーザ端末５０は、サーバ１００が送信したユーザ通知情報を受信し、受信したユーザ通知情報に含まれる提供情報を処理することによって、ユーザに情報を提供する。  以下、情報提供システム１に含まれるエアロゾル生成装置７０と、ユーザ端末５０と、サーバ１００と、情報処理装置２００とについて説明する。
【００１４】
（エアロゾル生成装置）
図２は、第１の実施形態のエアロゾル生成装置の概略構成を示すブロック図である。
図２に示されるように、エアロゾル生成装置７０は、第１の部材７０２及び第２の部材７０４を備える。図示されるように、一例として、第１の部材７０２は、制御部７０６、通知部７０８、バッテリー７１０、センサ７１２及びメモリ７１４を含んでもよい。一例として、第２の部材７０４は、リザーバ７１６、霧化部７１８、空気取込流路７２０、エアロゾル流路７２１及び吸口部７２２を含んでもよい。第１の部材７０２内に含まれるコンポーネントの一部が第２の部材７０４内に含まれてもよい。第２の部材７０４内に含まれるコンポーネントの一部が第１の部材７０２内に含まれてもよい。第２の部材７０４は、第１の部材７０２に対して着脱可能に構成されてもよい。あるいは、第１の部材７０２及び第２の部材７０４内に含まれるすべてのコンポーネントが、第１の部材７０２及び第２の部材７０４に代えて、同一の筐体内に含まれてもよい。
リザーバ７１６は、エアロゾル源を保持する。例えば、リザーバ７１６は、繊維状又は多孔質性の素材から構成され、繊維間の隙間や多孔質材料の細孔に液体としてのエアロゾル源を保持する。前述した繊維状又は多孔質性の素材には、例えばコットンやガラス繊維、またはたばこ原料などを用いることができる。リザーバ７１６は、液体を収容するタンクとして構成されてもよい。エアロゾル源は、例えば、グリセリンやプロピレングリコールといった多価アルコール、水などの液体である。エアロゾル生成装置７０がネブライザー等の医療用吸入器である場合、エアロゾル源はまた、患者が吸入するための薬剤を含んでもよい。別の例として、エアロゾル源は、加熱することによって香喫味成分を放出するたばこ原料やたばこ原料由来の抽出物を含んでいてもよい。リザーバ７１６は、消費されたエアロゾル源を補充することができる構成を有してもよい。あるいは、リザーバ７１６は、エアロゾル源が消費された際にリザーバ７１６自体を交換することができるように構成されてもよい。また、エアロゾル源は液体に限られるものではなく、固体でも良い。エアロゾル源が固体の場合のリザーバ７１６は、例えば繊維状又は多孔質性の素材を用いない空洞の容器であっても良い。
【００１５】
霧化部７１８は、エアロゾル源を霧化してエアロゾルを生成するように構成される。センサ７１２によって吸引動作が検知されると、霧化部７１８はエアロゾルを生成する。例えば、ウィック（図示せず）が、リザーバ７１６と霧化部７１８とを連結するように設けられてもよい。この場合、ウィックの一部はリザーバ７１６の内部に通じ、エアロゾル源と接触する。ウィックの他の一部は霧化部７１８へ延びる。エアロゾル源は、ウィックの毛細管効果によってリザーバ７１６から霧化部７１８へと運ばれる。一例として、霧化部７１８は、バッテリー７１０に電気的に接続されたヒータを備える。ヒータは、ウィックと接触又は近接するように配置される。吸引動作が検知されると、制御部７０６は、霧化部７１８のヒータを制御し、ウィックを通じて運ばれたエアロゾル源を加熱することによって当該エアロゾル源を霧化する。霧化部７１８の別の例は、エアロゾル源を超音波振動によって霧化する超音波式霧化器であってもよい。霧化部７１８には空気取込流路７２０が接続され、空気取込流路７２０はエアロゾル生成装置７０の外部へ通じている。霧化部７１８において生成されたエアロゾルは、空気取込流路７２０を介して取り込まれた空気と混合される。エアロゾルと空気の混合流体は、矢印７２４で示されるように、エアロゾル流路７２１へと送り出される。エアロゾル流路７２１は、霧化部７１８において生成されたエアロゾルと空気との混合流体を吸口部７２２まで輸送するための管状構造を有する。
吸口部７２２は、エアロゾル流路７２１の終端に位置し、エアロゾル流路７２１をエアロゾル生成装置７０の外部に対して開放するように構成される。ユーザは、吸口部７２２を咥えて吸引することにより、エアロゾルを含んだ空気を口腔内へ取り込む。
【００１６】
通知部７０８は、ＬＥＤなどの発光素子、ディスプレイ、スピーカー、バイブレータなどを含んでもよい。通知部７０８は、必要に応じて、発光、表示、発声、振動などによって、ユーザに対して何らかの通知を行うように構成される。
バッテリー７１０は、通知部７０８、センサ７１２、メモリ７１４、霧化部７１８などのエアロゾル生成装置７０の各コンポーネントに電力を供給する。バッテリー７１０は、エアロゾル生成装置７０の所定のポート（図示せず）を介して外部電源に接続することにより充電することができてもよい。バッテリー７１０のみを第１の部材７０２又はエアロゾル生成装置７０から取り外すことができてもよく、新しいバッテリー７１０と交換することができてもよい。また、第１の部材７０２全体を新しい第１の部材７０２と交換することによってバッテリー７１０を新しいバッテリー７１０と交換することができてもよい。
【００１７】
センサ７１２は、空気取込流路７２０及び／又はエアロゾル流路７２１内の圧力の変動を検知する圧力センサ又は流量を検知する流量センサを含んでもよい。センサ７１２はまた、リザーバ７１６等のコンポーネントの重量を検知する重量センサを含んでもよい。センサ７１２はまた、エアロゾル生成装置７０を用いたユーザによるパフの回数を計数するように構成されてもよい。センサ７１２はまた、霧化部７１８への通電時間を積算するように構成されてもよい。センサ７１２はまた、リザーバ７１６内の液面の高さを検知するように構成されてもよい。センサ７１２はまた、バッテリー７１０のＳＯＣ（Ｓｔａｔｅ  ｏｆ  Ｃｈａｒｇｅ、充電状態）、電流積算値、電圧などを検知するように構成されてもよい。電流積算値は、電流積算法やＳＯＣ−ＯＣＶ（Ｏｐｅｎ  Ｃｉｒｃｕｉｔ  Ｖｏｌｔａｇｅ、開回路電圧）法等によって求められてもよい。センサ７１２はまた、ユーザが操作可能な操作ボタンなどであってもよい。
制御部７０６は、マイクロプロセッサ又はマイクロコンピュータとして構成された電子回路モジュールであってもよい。制御部７０６は、メモリ７１４に格納されたコンピュータ実行可能命令に従ってエアロゾル生成装置７０の動作を制御するように構成されてもよい。メモリ７１４は、ＲＯＭ、ＲＡＭ、フラッシュメモリなどの記憶媒体である。メモリ７１４には、上記のようなコンピュータ実行可能命令のほか、エアロゾル生成装置７０の制御に必要な設定データ等が格納されてもよい。例えば、メモリ７１４は、通知部７０８の制御方法（発光、発声、振動等の態様等）、センサ７１２により検知された値、霧化部７１８の加熱履歴等の様々なデータを格納してもよい。制御部７０６は、必要に応じてメモリ７１４からデータを読み出してエアロゾル生成装置７０の制御に利用し、必要に応じてデータをメモリ７１４に格納する。
【００１８】
図３は、第１の実施形態のエアロゾル生成装置の他の概略構成を示すブロック図である。
図示されるように、エアロゾル生成装置７０Ｂは、図２のエアロゾル生成装置７０が備える構成に加えて、第３の部材７２６を備える。第３の部材７２６は、香味源７２８を含んでもよい。一例として、エアロゾル生成装置７０Ｂが電子たばこである場合、香味源７２８は、たばこに含まれる香喫味成分を含んでもよい。図示されるように、エアロゾル流路７２１は、第２の部材７０４及び第３の部材７２６にわたって延在する。吸口部７２２は、第３の部材７２６に備えられる。
香味源７２８は、エアロゾルに香味を付与するためのコンポーネントである。香味源７２８は、エアロゾル流路７２１の途中に配置される。霧化部７１８によって生成されたエアロゾルと空気との混合流体（以下、混合流体を単にエアロゾルと呼称する場合もあることに留意されたい）は、エアロゾル流路７２１を通って吸口部７２２まで流れる。このように、香味源７２８は、エアロゾルの流れに関して霧化部７１８よりも下流に設けられている。換言すれば、霧化部７１８よりも香味源７２８の方が、エアロゾル流路７２１の中で吸口部７２２に近い側に位置する。したがって、霧化部７１８によって生成されたエアロゾルは、香味源７２８を通過してから吸口部７２２へ達する。エアロゾルが香味源７２８を通過する際、香味源７２８に含まれる香喫味成分がエアロゾルに付与される。一例として、エアロゾル生成装置７０Ｂが電子たばこである場合、香味源７２８は、刻みたばこ、又はたばこ原料を粒状、シート状もしくは粉末状に成形した加工物などの、たばこ由来のものであってもよい。香味源７２８はまた、たばこ以外の植物（例えばミントやハーブ等）から作られた非たばこ由来のものであってもよい。一例として、香味源７２８は、ニコチン成分を含む。香味源７２８は、メントールなどの香料成分を含有してもよい。香味源７２８に加えて、リザーバ７１６も香喫味成分を含んだ物質を有してもよい。例えば、エアロゾル生成装置７０Ｂは、香味源７２８にたばこ由来の香味物質を保持し、リザーバ７１６には非たばこ由来の香味物質を含むように構成されてもよい。
【００１９】
ユーザは、吸口部７２２を咥えて吸引することにより、香味が付与されたエアロゾルを含んだ空気を口腔内へ取り込むことができる。
制御部７０６は、本開示の実施形態に係るエアロゾル生成装置７０及び７０Ｂ（以下、まとめて「エアロゾル生成装置７０」と呼ぶことがある）を様々な方法で制御するように構成される。
図４は、第１の実施形態のエアロゾル生成装置の全体斜視図である。図５は、第１の実施形態のエアロゾル生成基材を保持した状態の他のエアロゾル生成装置の全体斜視図である。本実施形態において、エアロゾル生成装置７０は、例えば、エアロゾル源及び香味源を含む充填物などの香味発生基材を有する、喫煙物品などのエアロゾル生成基材を加熱することによって、香味を含むエアロゾルを生成するように構成される。なお、喫煙物品９１０がエアロゾル生成基材として用いられてもよい。
当業者に理解されるように、喫煙物品９１０はエアロゾル生成基材の一例にすぎない。エアロゾル生成基材に含まれるエアロゾル源は固体であってもよいし、液体であってもよい。エアロゾル源は、例えば、グリセリン、プロピレングリコールといった多価アルコールや、水などの液体であってもよい。エアロゾル源は、加熱することによって香喫味成分を放出するたばこ原料やたばこ原料由来の抽出物を含んでいてもよい。エアロゾル生成装置７０がネブライザーなどの医療用吸入器である場合、エアロゾル源は、患者が吸入するための薬剤を含んでもよい。用途によっては、エアロゾル生成基材は香味源を含まなくてもよい。
【００２０】
図４及び図５に示すように、エアロゾル生成装置７０は、トップハウジング８１１Ａと、ボトムハウジング８１１Ｂと、カバー８１２と、スイッチ８１３と、蓋部８１４とを有する。トップハウジング８１１Ａ及びボトムハウジング８１１Ｂは、互いに接続されることで、エアロゾル生成装置７０の最外のハウジング８１１を構成する。ハウジング８１１は、使用者の手に収まるようなサイズであってもよい。この場合、使用者がエアロゾル生成装置７０を使用するときに、使用者はエアロゾル生成装置７０を手で保持して、エアロゾルを吸引することができる。
トップハウジング８１１Ａは、開口（図示せず）を有し、カバー８１２は当該開口を閉じるようにトップハウジング８１１Ａに結合される。図５に示すように、カバー８１２は、喫煙物品９１０を挿入可能な開口８１２ａを有する。蓋部８１４は、カバー８１２の開口８１２ａを開閉するように構成される。具体的には、蓋部８１４は、カバー８１２に取り付けられ、開口８１２ａを閉じる第１位置と開口８１２ａを開放する第２位置との間を、カバー８１２の表面に沿って移動可能に構成される。
スイッチ８１３は、エアロゾル生成装置７０の作動のオンとオフを切り替えるために使用される。例えば、使用者は、図５に示すように喫煙物品９１０を開口８１２ａに挿入した状態でスイッチ８１３を操作することにより、バッテリ（図示せず）から加熱部（図示せず）に電力を供給し、喫煙物品９１０を燃焼させずに加熱することができる。喫煙物品９１０が加熱されると、喫煙物品９１０に含まれるエアロゾル源からエアロゾルが発生し、香味源の香味が当該エアロゾルに取り込まれる。使用者は、エアロゾル生成装置７０から突出した喫煙物品９１０の部分（図５において図示された部分）を吸引することにより、香味を含むエアロゾルを吸引することができる。なお、本明細書において、喫煙物品９１０などのエアロゾル生成基材が開口８１２ａに挿入される方向を、エアロゾル生成装置７０の長手方向と呼ぶ。
【００２１】
図４及び図５に示されるエアロゾル生成装置７０の構成は、本開示に係るエアロゾル生成装置の構成の一例にすぎない。本開示に係るエアロゾル生成装置は、エアロゾル源を含むエアロゾル生成基材を加熱することによってエアロゾルを生成することができ、生成されたエアロゾル源を使用者が吸引することができるような、様々な形態で構成することができる。
次に、本実施形態に係るエアロゾル生成装置７０に使用されるエアロゾル生成基材の一例として、喫煙物品９１０の構成について説明する。図６は、喫煙物品９１０の断面図である。図６に示す実施形態において、喫煙物品９１０は、充填物９１１（香味発生基材の一例に相当する）と、充填物９１１を巻装する第１の巻紙９１２とを含む基材部９１０Ａと、基材部９１０Ａとは反対側の端部を形成する吸口部９１０Ｂとを有する。基材部９１０Ａと吸口部９１０Ｂは、第１の巻紙９１２とは異なる第２の巻紙９１３によって連結されている。ただし、第２の巻紙９１３を省略し、第１の巻紙９１２を用いて基材部９１０Ａと吸口部９１０Ｂを連結することもできる。
図６中の吸口部９１０Ｂは、紙管部９１４と、フィルタ部９１５と、紙管部９１４とフィルタ部９１５との間に配置された中空セグメント部９１６とを有する。中空セグメント部９１６は、例えば、１つ又は複数の中空チャネルを有する充填層と、充填層を覆うプラグラッパーとを含む。充填層における繊維の充填密度が高いので、吸引時、空気やエアロゾルは中空チャネルのみを流れることになり、充填層内をほとんど流れない。喫煙物品９１０において、フィルタ部９１５でのエアロゾル成分の濾過によるエアロゾルのデリバリ量の減少を少なくしたいときに、フィルタ部９１５の長さを短くして中空セグメント部９１６で置き換えることは、エアロゾルのデリバリ量を増大させるために有効である。
図６の実施形態において、吸口部９１０Ｂは３つのセグメントから構成されている。しかし、別の実施形態において、吸口部９１０Ｂは１つ又は２つのセグメントから構成されてもよいし、４つ又はそれ以上のセグメントから構成されてもよい。例えば、中空セグメント部９１６を省略し、紙管部９１４とフィルタ部９１５を互いに隣接するように配置して吸口部９１０Ｂを形成することもできる。
【００２２】
図６に示す実施形態において、喫煙物品９１０の長手方向の長さは、４０ｍｍ〜９０ｍｍであることが好ましく、５０ｍｍ〜７５ｍｍであることがより好ましく、５０ｍｍ〜６０ｍｍであることがさらに好ましい。喫煙物品９１０の円周は１５ｍｍ〜２５ｍｍであることが好ましく、１７ｍｍ〜２４ｍｍ以下であることがより好ましく、２０ｍｍ〜２２ｍｍであることがさらに好ましい。また、喫煙物品９１０における基材部９１０Ａの長さは２０ｍｍ、第１の巻紙９１２の長さは２０ｍｍ、中空セグメント部９１６の長さは８ｍｍ、フィルタ部９１５の長さは７ｍｍであってもよい。これら個々のセグメントの長さは、製造適性、要求品質等に応じて、適宜変更できる。
本実施形態において、喫煙物品９１０の充填物９１１は、所定温度で加熱されてエアロゾルを発生するエアロゾル源を含有し得る。エアロゾル源の種類は、特に限定されず、用途に応じて種々の天然物からの抽出物質及び／又はそれらの構成成分を選択することができる。エアロゾル源として、例えば、グリセリン、プロピレングリコール、トリアセチン、１、３−ブタンジオール、及びこれらの混合物を挙げることができる。充填物９１１中のエアロゾル源の含有量は、特に限定されず、十分にエアロゾルを発生するとともに、良好な香喫味の付与の観点から、通常５重量％以上であり、好ましくは１０重量％以上であり、また、通常５０重量％以下であり、好ましくは２０重量％以下である。
本実施形態における喫煙物品９１０の充填物９１１は、香味源としてたばこ刻みを含有し得る。たばこ刻みの材料は特に限定されず、ラミナや中骨等の公知の材料を用いることができる。喫煙物品９１０における充填物９１１の含有量の範囲は、円周２２ｍｍ、長さ２０ｍｍの場合、例えば、２００ｍｇ〜４００ｍｇであり、２５０ｍｇ〜３２０ｍｇであることが好ましい。充填物９１１の水分含有量は、例えば、８〜１８重量％であり、１０〜１６重量％であることが好ましい。このような水分含有量であると、巻染みの発生を抑制し、基材部９１０Ａの製造時の巻上適性を良好にする。充填物９１１として用いるたばこ刻みの大きさやその調製法については特に制限はない。例えば、乾燥したたばこ葉を、幅０．８ｍｍ〜１．２ｍｍに刻んだものを用いてもよい。また、乾燥したたばこ葉を平均粒径が２０μｍ〜２００μｍ程度になるように粉砕して均一化したものをシート加工し、それを幅０．８ｍｍ〜１．２ｍｍに刻んだものを用いてもよい。さらに、上記のシート加工したものについて刻まずにギャザー加工したものを充填物９１１として用いてもよい。また、充填物９１１は、１種又は２種以上の香料を含んでいてもよい。当該香料の種類は特に限定されないが、良好な喫味の付与の観点から、好ましくはメンソールである。
【００２３】
本実施形態において、喫煙物品９１０の第１の巻紙９１２及び第２の巻紙９１３は、坪量が例えば２０ｇｓｍ〜６５ｇｓｍであり、好ましくは２５ｇｓｍ〜４５ｇｓｍである原紙から作られることができる。第１の巻紙９１２及び第２の巻紙９１３の厚みは、特に限定されないが、剛性、通気性、及び製紙時の調整の容易性の観点から、１０μｍ〜１００μｍであり、好ましくは２０μｍ〜７５μｍであり、より好ましくは３０μｍ〜５０μｍである。
本実施形態において、喫煙物品９１０の第１の巻紙９１２及び第２の巻紙９１３には填料が含まれ得る。填料の含有量は、第１の巻紙９１２及び第２の巻紙９１３の全重量に対して１０重量％以上６０重量％未満を挙げることができ、１５重量％〜４５重量％であることが好ましい。本実施形態において、好ましい坪量の範囲（２５ｇｓｍ〜４５ｇｓｍ）に対して、填料が１５重量％〜４５重量％であることが好ましい。填料としては、例えば、炭酸カルシウム、二酸化チタン、カオリン等を使用することができる。このような填料を含む紙は、喫煙物品９１０の巻紙として利用する外観上の観点から好ましい白色系の明るい色を呈し、恒久的に白さを保つことができる。そのような填料を多く含有させることで、例えば、巻紙のＩＳＯ白色度を８３％以上にすることができる。また、喫煙物品９１０の巻紙として利用する実用上の観点から、第１の巻紙９１２及び第２の巻紙９１３は８Ｎ／１５ｍｍ以上の引張強度を有することが好ましい。この引張強度は、填料の含有量を少なくすることで高めることができる。具体的には、上記で例示した各坪量の範囲において示した填料の含有量の上限よりも填料の含有量を少なくすることで、高めることができる。
【００２４】
次に、図４及び図５に示したエアロゾル生成装置７０の内部構造について説明する。図７は、図４に示した矢視８００−８００における断面図である。図７に示すように、エアロゾル生成装置７０は、ハウジング８１１の内部空間に、電源部８２０と、回路部８３０と、加熱部８４０とを有する。回路部８３０は、第１回路基板８３１と、第１回路基板８３１と電気的に接続された第２回路基板８３２とを有してもよい。第１回路基板８３１は、例えば、図示のように長手方向に延びて配置されてもよい。これにより、電源部８２０と加熱部８４０は、第１回路基板８３１によって区画される。その結果、加熱部８４０において発生する熱が電源部８２０に伝達することが抑制される。
第２回路基板８３２は、トップハウジング８１１Ａと電源部８２０との間に配置されてもよく、第１回路基板８３１の延在方向と直交する方向に延びてもよい。スイッチ８１３は、第２回路基板８３２と隣接して配置されてもよい。使用者がスイッチ８１３を押下したとき、スイッチ８１３の一部が、第２回路基板８３２と接触し得る。
第１回路基板８３１及び第２回路基板８３２は、例えばマイクロプロセッサ等を含み、電源部８２０から加熱部８４０への電力の供給を制御することができる。これにより、第１回路基板８３１及び第２回路基板８３２は、加熱部８４０による喫煙物品９１０の加熱を制御することができる。
電源部８２０は、第１回路基板８３１及び第２回路基板８３２に電気的に接続される電源８２１を有する。電源８２１は、例えば、充電式バッテリ又は非充電式のバッテリであり得る。電源８２１は、第１回路基板８３１及び第２回路基板８３２の少なくとも一方を介して、加熱部８４０と電気的に接続される。これにより、電源８２１は、喫煙物品９１０を適切に加熱するように、加熱部８４０に電力を供給することができる。また、図示のように、電源８２１は、加熱部８４０の長手方向に直交する方向に隣接して配置されてもよい。これにより、電源８２１の大きさを大きくしても、エアロゾル生成装置７０の長手方向の長さが長くなることを抑制することができる。
【００２５】
また、エアロゾル生成装置７０は、外部電源と接続可能な端子８２２を有してもよい。端子８２２は、例えばマイクロＵＳＢ等のケーブルと接続することができる。電源８２１が充電式バッテリーである場合、端子８２２に外部電源を接続することにより、外部電源から電源８２１に電流を流し、電源８２１を充電することができる。また、端子８２２にマイクロＵＳＢ等のデータ送信ケーブルを接続することにより、エアロゾル生成装置７０の作動に関連するデータを外部装置に送信できるようにしてもよい。
加熱部８４０は、図示のように、長手方向に延びる加熱アセンブリ８４１を有する。加熱アセンブリ８４１は、複数の筒状の部材から構成され、全体として筒状体をなしている。加熱アセンブリ８４１は、その内部に喫煙物品９１０の一部を収納可能に構成され、喫煙物品９１０へ供給する空気の流路を画定する機能、及び喫煙物品９１０を外周から加熱する機能を有する。
ボトムハウジング８１１Ｂには、加熱アセンブリ８４１の内部に空気を流入するための通気口８１５が形成される。具体的には、通気口８１５は、加熱アセンブリ８４１の一端部（図６における左側の端部）と流体連通する。また、エアロゾル生成装置７０は、通気口８１５に着脱自在のキャップ８１６を有する。キャップ８１６は、通気口８１５に取り付けられた状態でも通気口８１５から加熱アセンブリ８４１の内部に空気が流入できるように構成され、例えば図示しない貫通孔又は切欠き等を有し得る。キャップ８１６を通気口８１５に取り付けることで、加熱アセンブリ８４１内に挿入された喫煙物品９１０から発生する物質が、通気口８１５からハウジング８１１の外部に落下することを抑制することができる。また、キャップ８１６を取り外すことで、加熱アセンブリ８４１の内部又はキャップ８１６の内側をクリーニングすることもできる。
【００２６】
加熱アセンブリ８４１の他の一端部（図６における右側の端部）は、図５に示した開口８１２ａと流体連通する。開口８１２ａを有する蓋部８１４と加熱アセンブリ８４１の他の一端部との間には、略筒状のアウターフィン８１７が設けられる。喫煙物品９１０は、図５に示すように蓋部８１４の開口８１２ａからエアロゾル生成装置７０の内部に挿入されると、アウターフィン８１７を通過し、喫煙物品９１０の一部が加熱アセンブリ８４１の内部に配置される。このため、アウターフィン８１７は、加熱アセンブリ８４１の他の一端部側の開口の大きさより、蓋部８１４側の開口の方が大きくなるように形成されることが好ましい。これにより、喫煙物品９１０を開口８１２ａからアウターフィン８１７の内部に挿入し易くなる。
図５に示すように喫煙物品９１０が開口８１２ａからエアロゾル生成装置７０内に挿入された状態で、使用者が、喫煙物品９１０のエアロゾル生成装置７０から突出した部分、即ち図６に示したフィルタ部９１５から吸引すると、通気口８１５から加熱アセンブリ８４１の内部に空気が流入する。流入した空気は、加熱アセンブリ８４１の内部を通過して、喫煙物品９１０から生じるエアロゾルと共に、使用者の口内に到達する。したがって、加熱アセンブリ８４１の通気口８１５に近い側は上流側であり、加熱アセンブリ８４１の開口８１２ａに近い側（アウターフィン８１７に近い側）は下流側である。
【００２７】
（ユーザ端末）
図８は、第１の実施形態の情報提供システムの一例を示すブロック図である。ユーザ端末５０は、スマートフォン、携帯端末、又はパーソナルコンピュータ、タブレット端末装置、腕時計型端末装置、眼鏡型端末装置、あるいはその他の情報処理機器として実現される。また、ユーザ端末５０は、スマートスピーカー（ＡＩスピーカー；「ＡＩ」は「人工知能」の略）や、ヘッドマウントディスプレイ（ＨＭＤ：Ｈｅａｄ  Ｍｏｕｎｔｅｄ  Ｄｉｓｐｌａｙ）であってもよい。ただし、ユーザ端末５０は、これらの例に限定されない。ユーザ端末５０は、通信部５１と、メモリ５２と、記憶部５３と、情報処理部５７と、操作部６１と、表示部６２と、各構成要素を図８に示されているように電気的に接続するためのアドレスバスやデータバスなどのバスライン６３とを備える。なお、ユーザ端末は、端末装置と示されてもよい。
通信部５１は、通信モジュールによって実現される。具体的には、通信部５１は、無線ＬＡＮ（登録商標）、ＬＴＥ等の無線通信技術で無線通信を行う無線デバイスによって構成される。また、通信部５１は、有線通信を行うデバイスによって構成されてもよい。通信部５１は、通信網ＮＥＴを介して、サーバ１００などの外部の通信装置と通信する。具体的には、通信部５１は、ビーコン送信装置１０が送信したビーコン信号を受信し、受信したビーコン信号を、情報処理部５７へ出力する。通信部５１は、情報処理部５７が出力した識別情報を取得し、取得した識別情報を、サーバ１００へ送信する。また、通信部５１は、サーバ１００が送信したユーザ通知情報を受信し、受信したユーザ通知情報を、情報処理部５７へ出力する。
メモリ５２は、半導体素子を利用した揮発性のメモリなどのＲＡＭによって構成され、情報処理部５７のワークメモリとして使用される。メモリ５２は、例えばフラッシュメモリ等によって構成される。
【００２８】
記憶部５３は、例えば、ＲＡＭ（Random Access Memory）、ＲＯＭ（Read Only Memory）、ＨＤＤ（Hard Disk Drive）、フラッシュメモリ、またはこれらのうち複数が組み合わされたハイブリッド型記憶装置などにより実現される。記憶部５３には、情報処理部５７により実行されるプログラム５４と、アプリ５５とが記憶される。さらに、記憶部５３は、ユーザＩＤｕｉｄが記憶される。
プログラム５４は、例えば、オペレーティングシステムであり、ユーザやアプリケーションプログラムとハードウェアの中間に位置し、ユーザやアプリケーションプログラムに対して標準的なインターフェースを提供すると同時に、ハードウェアなどの各リソースに対して効率的な管理を行う。
アプリ５５は、ユーザ端末５０に、ビーコン送信装置１０が送信したビーコン信号を受信させる。アプリ５５は、ユーザ端末５０に、受信させたビーコン信号に含まれるビーコンＩＤと、ユーザＩＤとを含み、ビーコンＩＤに関連付けられるサーバ１００のアドレスを宛先とする識別情報を作成させる。アプリ５５は、ユーザ端末５０に、作成させた識別情報を、サーバ１００へ送信させる。アプリ５５は、ユーザ端末５０に、サーバ１００が送信したユーザ通知情報を受信させる。アプリ５５は、ユーザ端末５０に、受信させたユーザ通知情報に含まれる提供情報を処理させることによって、ユーザに情報を提供させる。
ユーザＩＤｕｉｄは、ユーザ端末５０のユーザを一意に識別可能な識別子である。
操作部６１は、例えば、タッチパネルなどによって構成され、表示部６２に表示される画面に対するタッチ操作を検出し、タッチ操作の検出結果を、情報処理部５７へ出力する。
表示部６２は、ユーザに提供する情報を表示する。
【００２９】
情報処理部５７の全部または一部は、例えば、ＣＰＵ（Central Processing Unit）などのプロセッサが記憶部５３に格納されたプログラム５４とアプリ５５とを実行することにより実現される機能部（以下、ソフトウェア機能部と称する）である。なお、情報処理部５７の全部または一部は、ＬＳＩ（Large Scale Integration）、ＡＳＩＣ（Application Specific Integrated Circuit）、またはＦＰＧＡ（Field-Programmable Gate Array）などのハードウェアにより実現されてもよく、ソフトウェア機能部とハードウェアとの組み合わせによって実現されてもよい。
情報処理部５７は、例えば、受付部５８と、作成部５９と、処理部６０とを備える。
受付部５８は、通信部５１が出力したビーコン信号を取得し、取得したビーコン信号を受け付ける。受付部５８は、受け付けたビーコン信号を、作成部５９に出力する。受付部５８は、通信部５１が出力したユーザ通知情報を取得し、取得したユーザ通知情報を受け付ける。受付部５８は、受け付けたユーザ通知情報を、処理部６０に出力する。
作成部５９は、受付部５８が出力したビーコン信号を取得し、取得したビーコン信号に含まれるビーコンＩＤを取得する。作成部５９は、ビーコン信号に含まれるビーコンＩＤを取得した場合に、記憶部５３に記憶されているユーザＩＤｕｉｄを取得し、取得したユーザＩＤｕｉｄと、ビーコンＩＤとを含み、ビーコンＩＤに関連付けられるサーバ１００のアドレスを宛先とする識別情報を作成する。作成部５９は、作成した識別情報を、通信部５１に出力する。
処理部６０は、受付部５８が出力したユーザ通知情報を取得し、取得したユーザ通知情報を処理し、処理した結果を、表示部６２に表示する。その結果、表示部６２には、エアロゾル生成装置７０に関する広告、注意事項などの情報が表示される。
【００３０】
（サーバ）
サーバ１００は、パーソナルコンピュータや産業用コンピュータ等の装置によって実現される。なお、サーバ１００は、これらの例に限定されない。サーバ１００は、通信部１５１と、メモリ１５２と、記憶部１５３と、情報処理部１５７と、各構成要素を図８に示されているように電気的に接続するためのアドレスバスやデータバスなどのバスライン１６３とを備える。
通信部１５１は、通信モジュールによって実現される。具体的には、通信部５１は、有線通信を行うデバイスによって構成される。また、通信部１５１は、無線ＬＡＮ（登録商標）等の無線通信技術で無線通信を行う無線デバイスによって構成されてもよい。通信部１５１は、通信網ＮＥＴを介して、ユーザ端末５０、情報処理装置２００などの外部の通信装置と通信する。
具体的には、通信部１５１は、ユーザ端末５０が送信した識別情報を受信し、受信した識別情報を、情報処理部１５７へ出力する。通信部１５１は、情報処理部１５７が出力した受信位置情報を取得し、取得した受信位置情報を、情報処理装置２００へ送信する。通信部１５１は、情報処理装置２００が送信した提供情報通知を受信し、受信した提供情報通知を、情報処理部１５７へ出力する。通信部１５１は、情報処理部１５７が出力したユーザ通知情報を取得し、取得したユーザ通知情報を、ユーザ端末５０へ送信する。
メモリ１５２は、半導体素子を利用した揮発性のメモリなどのＲＡＭによって構成され、情報処理部１５７のワークメモリとして使用される。メモリ１５２は、例えばフラッシュメモリ等によって構成される。
【００３１】
記憶部１５３は、例えば、ＲＡＭ、ＲＯＭ、ＨＤＤ、フラッシュメモリ、またはこれらのうち複数が組み合わされたハイブリッド型記憶装置などにより実現される。記憶部１５３には、情報処理部１５７により実行されるプログラム１５４と、アプリ１５５とが記憶される。さらに、記憶部１５３は、ビーコン関連情報１５６が記憶される。
プログラム１５４は、例えば、オペレーティングシステムであり、ユーザやアプリケーションプログラムとハードウェアの中間に位置し、ユーザやアプリケーションプログラムに対して標準的なインターフェースを提供すると同時に、ハードウェアなどの各リソースに対して効率的な管理を行う。
アプリ１５５は、サーバ１００に、ユーザ端末５０が送信した識別情報を受信させる。アプリ１５５は、サーバ１００に、受信させた識別情報に含まれるビーコンＩＤと、ユーザＩＤとを取得させる。アプリ１５５は、サーバ１００に、取得させたビーコンＩＤに関連付けられている情報処理装置ＩＤのアドレスと、受信位置情報とを、記憶部１５３のビーコン関連情報１５６から取得させる。アプリ１５５は、サーバ１００に、取得させたユーザＩＤと、受信位置情報とを含み、情報処理装置２００のアドレスを宛先とする位置情報通知を作成させる。アプリ１５５は、サーバ１００に、作成させた位置情報通知を、情報処理装置２００に送信させる。
アプリ１５５は、サーバ１００に、情報処理装置２００が送信した提供情報通知を受信させる。アプリ１５５は、サーバ１００に、受信させた提供情報通知に含まれる提供情報と、ユーザＩＤとを取得させる。アプリ１５５は、サーバ１００に、取得させた提供情報を含み、ユーザＩＤに該当するユーザ端末５０を宛先とするユーザ通知情報を作成させる。アプリ１５５は、サーバ１００に、作成させたユーザ通知情報を、ユーザ端末５０に送信させる。
（ビーコン関連情報）
図９は、ビーコン関連情報の一例を示す図である。
ビーコン関連情報１５６の一例は、ビーコンＩＤと、情報処理装置のアドレスと、受信位置情報とを関連付けたテーブル形式の情報である。図９に示される例では、ビーコンＩＤ「＊＊＊＊」と、情報処理装置のアドレス「ｘｘｘｘ．ｘｘｘｘ．ｘｘｘｘ．ｘｘｘｘ」と、受信位置情報「△△△△」とが関連付けて記憶されている。図８に戻り説明を続ける。
【００３２】
情報処理部１５７の全部または一部は、例えば、ＣＰＵなどのプロセッサが記憶部１５３に格納されたプログラム１５４とアプリ１５５とを実行することにより実現されるソフトウェア機能部である。なお、情報処理部１５７の全部または一部は、ＬＳＩ、ＡＳＩＣ、またはＦＰＧＡなどのハードウェアにより実現されてもよく、ソフトウェア機能部とハードウェアとの組み合わせによって実現されてもよい。
情報処理部１５７は、例えば、受付部１５８と、作成部１５９とを備える。
受付部１５８は、通信部１５１が出力した識別情報を取得し、取得した識別情報を受け付ける。受付部１５８は、受け付けた識別情報を、作成部１５９に出力する。受付部１５８は、通信部１５１が出力した提供情報通知を取得し、取得した提供情報通知を受け付ける。受付部１５８は、受け付けた提供情報通知を、作成部１５９に出力する。
作成部１５９は、受付部１５８が出力した識別情報を取得し、取得した識別情報に含まれるビーコンＩＤと、ユーザＩＤとを取得する。作成部１５９は、記憶部１５３に記憶したビーコン関連情報１５６から、取得したビーコンＩＤに関連付けられている情報処理装置２００のアドレスと、受信位置情報とを取得する。作成部１５９は、取得したユーザＩＤと、受信位置情報とを含み、情報処理装置２００のアドレスを宛先とする位置情報通知を作成する。作成部１５９は、作成した位置情報通知を、通信部１５１へ出力する。
作成部１５９は、受付部１５８が出力した提供情報通知を取得し、取得した提供情報通知に含まれる提供情報と、ユーザＩＤとを取得する。作成部１５９は、取得した提供情報を含み、ユーザＩＤに該当するユーザ端末５０のアドレスを宛先とするユーザ通知情報を作成する。作成部１５９は、作成したユーザ通知情報を、通信部１５１へ出力する。
【００３３】
（情報処理装置）
情報処理装置２００は、パーソナルコンピュータ、又は産業用コンピュータ等の装置によって実現される。なお、情報処理装置２００は、これらの例に限定されない。情報処理装置２００は、通信部２５１と、メモリ２５２と、記憶部２５３と、情報処理部２５７と、各構成要素を図８に示されているように電気的に接続するためのアドレスバスやデータバスなどのバスライン２６３とを備える。
通信部２５１は、通信モジュールによって実現される。具体的には、通信部２５１は、有線通信を行うデバイスによって構成される。また、通信部２５１は、無線ＬＡＮ（登録商標）等の無線通信技術で無線通信を行う無線デバイスによって構成されてもよい。通信部２５１は、通信網ＮＥＴを介して、サーバ１００などの外部の通信装置と通信する。具体的には、通信部２５１は、サーバ１００が送信した位置情報通知を受信し、受信した位置情報通知を、情報処理部２５７へ出力する。通信部２５１は、情報処理部２５７が出力した提供情報通知を取得し、取得した提供情報通知を、サーバ１００へ送信する。
メモリ２５２は、半導体素子を利用した揮発性のメモリなどのＲＡＭによって構成され、情報処理部２５７のワークメモリとして使用される。メモリ２５２は、例えばフラッシュメモリ等によって構成される。
【００３４】
記憶部２５３は、例えば、ＲＡＭ、ＲＯＭ、ＨＤＤ、フラッシュメモリ、またはこれらのうち複数が組み合わされたハイブリッド型記憶装置などにより実現される。記憶部２５３には、情報処理部２５７により実行されるプログラム２５４と、アプリ２５５とが記憶される。さらに、記憶部２５３は、ユーザ通知情報２５６が記憶される。
プログラム２５４は、例えば、オペレーティングシステムであり、ユーザやアプリケーションプログラムとハードウェアの中間に位置し、ユーザやアプリケーションプログラムに対して標準的なインターフェースを提供すると同時に、ハードウェアなどの各リソースに対して効率的な管理を行う。
アプリ２５５は、情報処理装置２００に、サーバ１００が送信した位置情報通知を受信させる。アプリ２５５は、情報処理装置２００に、受信させた位置情報通知に含まれるユーザＩＤと、受信位置情報とを取得させる。アプリ２５５は、情報処理装置２００に、記憶部２５３に記憶されているユーザ通知情報２５６から、取得させたユーザＩＤと、受信位置情報との組み合わせに関連付けて記憶されている提供情報を取得させる。アプリ２５５は、情報処理装置２００に、取得させた提供情報と、ユーザＩＤとを含み、サーバ１００のアドレスを宛先とする提供情報通知を作成させる。アプリ２５５は、情報処理装置２００に、作成させた提供情報通知を、サーバ１００に送信させる。
（ユーザ通知情報）
図１０は、ユーザ通知情報の一例を示す図である。
ユーザ通知情報２５６の一例は、ユーザＩＤと、受信位置情報と、提供情報とを関連付けたテーブル形式の情報である。図１０に示される例では、ユーザＩＤ「ＡＡＡ」と、受信位置情報「△△△△」と、提供情報「ＸＸＸＸＸ」とが関連付けて記憶され、ユーザＩＤ「ＢＢＢ」と、受信位置情報「△△△△」と、提供情報「ＸＸＸＸＸ」とが関連付けて記憶され、ユーザＩＤ「ＣＣＣ」と、受信位置情報「△△△△」と、提供情報「ＸＸＸＸＸ」とが関連付けて記憶されている。図８に戻り、説明を続ける。
【００３５】
情報処理部２５７の全部または一部は、例えば、ＣＰＵなどのプロセッサが記憶部２５３に格納されたプログラム２５４とアプリ２５５とを実行することにより実現されるソフトウェア機能部である。なお、情報処理部２５７の全部または一部は、ＬＳＩ、ＡＳＩＣ、またはＦＰＧＡなどのハードウェアにより実現されてもよく、ソフトウェア機能部とハードウェアとの組み合わせによって実現されてもよい。
情報処理部２５７は、例えば、受付部２５８と、作成部２５９とを備える。
受付部２５８は、通信部２５１が出力した位置情報通知を取得し、取得した位置情報通知を受け付ける。受付部２５８は、受け付けた位置情報通知を、作成部２５９に出力する。
作成部２５９は、受付部２５８が出力した位置情報通知を取得し、取得した位置情報通知に含まれるユーザＩＤと、受信位置情報とを取得する。作成部２５９は、記憶部２５３に記憶されているユーザ通知情報２５６から、取得したユーザＩＤと受信位置情報との組み合わせに関連付けて記憶されている提供情報を取得する。作成部２５９は、取得した提供情報と、ユーザＩＤとを含み、サーバ１００のアドレスを宛先とする提供情報通知を作成する。作成部２５９は、作成した提供情報通知を、通信部２５１へ出力する。
【００３６】
（情報提供システムの動作）
図１１は、第１の実施形態の情報提供システムの動作の一例を示すシーケンスチャートである。
（ステップＳ１）
ビーコン送信装置１０は、ビーコン信号を送信する。
（ステップＳ２）
ユーザ端末５０の通信部５１は、ビーコン送信装置１０が送信したビーコン信号を受信し、受信したビーコン信号を、情報処理部５７へ出力する。
（ステップＳ３）
情報処理部５７の受付部５８は、通信部５１が出力したビーコン信号を取得し、取得したビーコン信号を受け付ける。受付部５８は、受け付けたビーコン信号を、作成部５９に出力する。
作成部５９は、受付部５８が出力したビーコン信号を取得し、取得したビーコン信号に含まれるビーコンＩＤを取得する。また、作成部５９は、記憶部５３に記憶されているユーザＩＤｕｉｄを取得し、取得したユーザＩＤｕｉｄと、ビーコンＩＤとを含み、ビーコンＩＤに関連付けられるサーバ１００のアドレスを宛先とする識別情報を作成する。作成部５９は、作成した識別情報を、通信部５１に出力する。
（ステップＳ４）
通信部５１は、作成部５９が出力した識別情報を取得し、取得した識別情報を、サーバ１００へ送信する。
（ステップＳ５）
サーバ１００の通信部１５１は、ユーザ端末５０が送信した識別情報を受信し、受信した識別情報を、情報処理部１５７へ出力する。
【００３７】
（ステップＳ６）
情報処理部１５７の受付部１５８は、通信部１５１が出力した識別情報を取得し、取得した識別情報を受け付ける。受付部１５８は、受け付けた識別情報を、作成部１５９に出力する。
作成部１５９は、受付部１５８が出力した識別情報を取得し、取得した識別情報に含まれるビーコンＩＤと、ユーザＩＤとを取得する。作成部１５９は、記憶部１５３に記憶したビーコン関連情報１５６から、取得したビーコンＩＤに関連付けられている情報処理装置２００のアドレスと、受信位置情報とを取得する。作成部１５９は、取得したユーザＩＤと、受信位置情報とを含み、情報処理装置２００のアドレスを宛先とする位置情報通知を作成する。作成部１５９は、作成した位置情報通知を、通信部１５１へ出力する。
（ステップＳ７）
通信部１５１は、作成部１５９が出力した位置情報通知を取得し、取得した位置情報通知を、情報処理装置２００へ送信する。
（ステップＳ８）
情報処理装置２００の通信部２５１は、サーバ１００が送信した位置情報通知を受信し、受信した位置情報通知を、情報処理部２５７へ出力する。
（ステップＳ９）
情報処理部２５７の受付部２５８は、通信部２５１が出力した位置情報通知を取得し、取得した位置情報通知を受け付ける。受付部２５８は、受け付けた位置情報通知を、作成部２５９に出力する。
作成部２５９は、受付部２５８が出力した位置情報通知を取得し、取得した位置情報通知に含まれるユーザＩＤと、受信位置情報とを取得する。作成部２５９は、記憶部２５３に記憶されているユーザ通知情報２５６から、取得したユーザＩＤと受信位置情報との組み合わせに関連付けて記憶されている提供情報を取得する。作成部２５９は、取得した提供情報と、ユーザＩＤとを含み、サーバ１００のアドレスを宛先とする提供情報通知を作成する。作成部２５９は、作成した提供情報通知を、通信部２５１へ出力する。
（ステップＳ１０）
通信部２５１は、作成部２５９が出力した提供情報通知を取得し、取得した提供情報通知を、サーバ１００へ送信する。
【００３８】
（ステップＳ１１）
サーバ１００の通信部１５１は、情報処理装置２００が送信した提供情報通知を受信し、受信した提供情報通知を、情報処理部１５７へ出力する。
（ステップＳ１２）
情報処理部１５７の受付部１５８は、通信部１５１が出力した提供情報通知を取得し、取得した提供情報通知を受け付ける。受付部１５８は、受け付けた提供情報通知を、作成部１５９に出力する。
作成部１５９は、受付部１５８が出力した提供情報通知を取得し、取得した提供情報通知に含まれる提供情報と、ユーザＩＤとを取得する。作成部１５９は、取得した提供情報を含み、ユーザＩＤに該当するユーザ端末５０のアドレスを宛先とするユーザ通知情報を作成する。作成部１５９は、作成したユーザ通知情報を、通信部１５１へ出力する。
（ステップＳ１３）
通信部１５１は、作成部１５９が出力したユーザ通知情報を取得し、取得したユーザ通知情報を、ユーザ端末５０へ送信する。
（ステップＳ１４）
ユーザ端末５０の通信部５１は、サーバ１００が送信したユーザ通知情報を受信し、受信したユーザ通知情報を、情報処理部５７へ出力する。
（ステップＳ１５）
情報処理部５７の受付部５８は、通信部５１が出力したユーザ通知情報を取得し、取得したユーザ通知情報を受け付ける。受付部５８は、受け付けたユーザ通知情報を、処理部６０に出力する。
処理部６０は、受付部５８が出力したユーザ通知情報を取得し、取得したユーザ通知情報を処理し、処理した結果を、表示部６２に表示する。
【００３９】
前述した第１の実施形態においては、ビーコン送信装置１０が喫煙所に設置されている場合について説明したが、この例に限られない。例えば、ビーコン送信装置１０を、店舗などの任意の場所に設置してもよい。
前述した第１の実施形態においては、ビーコン送信装置１０と、ユーザ端末５０と、サーバ１００と、情報処理装置２００とがそれぞれ一台である場合について説明したが、この例に限られない。例えば、ビーコン送信装置１０と、ユーザ端末５０と、サーバ１００と、情報処理装置２００とがそれぞれ二台以上であってもよい。
前述した第１の実施形態においては、情報処理装置２００が、ユーザＩＤと、受信位置情報との組み合わせに関連付けて記憶されている提供情報を取得する場合について説明したが、この例に限られない。例えば、情報処理装置２００は、ユーザＩＤと、受信位置情報とのいずれか一方に関連付けて記憶されている提供情報を取得してもよい。
前述した第１の実施形態においては、情報提供システムが、サーバ１００と、情報処理装置２００とを備える場合について説明したが、この例に限られない。例えば、サーバ１００の機能を、情報処理装置２００が実行するようにしてもよい。
前述した第１の実施形態において、ユーザ端末５０の作成部５９は、所定期間、同じビーコンＩＤを取得し続けた場合と、当該所定期間、同じビーコンＩＤを、所定回数以上受信した場合とのいずれか一方又は両方が成立するタイミングで、記憶部５３に記憶されているユーザＩＤｕｉｄを取得し、取得したユーザＩＤｕｉｄと、ビーコンＩＤとを含み、ビーコンＩＤに関連付けられるサーバ１００のアドレスを宛先とする識別情報を作成するようにしてもよい。なお、所定期間は、例えば、１０秒や１分、５分など、どのような期間であってよい。また、所定回数は、例えば、５回や１０回など、どのような回数であってもよい。このように構成することによって、ビーコン送信装置１０が設置されている喫煙所の近傍を通過しただけに過ぎないユーザが保持するユーザ端末５０からは、識別情報が送信されない。つまり、ビーコン送信装置１０が設置されている喫煙所の近傍を通過しただけに過ぎないユーザが保持するユーザ端末５０が、識別情報を送信することを排除できる。このため、ビーコン送信装置１０が設置されている喫煙所にいるユーザに、情報を提供することができる。
前述した第１の実施形態において、サーバ１００の作成部１５９は、所定期間、同じビーコンＩＤと、ユーザＩＤとを取得し続けた場合と、当該所定期間、同じビーコンＩＤと、ユーザＩＤとを、所定回数以上受信した場合とのいずれか一方又は両方が成立するタイミングで、記憶部１５３に記憶したビーコン関連情報１５６から、取得したビーコンＩＤに関連付けられている情報処理装置ＩＤのアドレスと、受信位置情報と、を取得するようにしてもよい。なお、所定期間は、例えば、１０秒や１分、５分など、どのような期間であってよい。また、所定回数は、例えば、５回や１０回など、どのような回数であってもよい。このように構成することによって、ビーコン送信装置１０が設置されている喫煙所の近傍を通過しただけに過ぎないユーザが保持するユーザ端末５０が送信した識別情報を契機とする位置情報通知が、サーバ１００から送信されない。つまり、ビーコン送信装置１０が設置されている喫煙所の近傍を通過しただけに過ぎないユーザが保持するユーザ端末５０が、識別情報を送信した場合でも、サーバ１００が、位置情報通知を送信することを排除できる。このため、ビーコン送信装置１０が設置されている喫煙所にいるユーザに、情報を提供することができる。
第１の実施形態の情報提供システム１によれば、情報処理装置２００は、エアロゾル生成装置７０のユーザのユーザＩＤと、受信位置情報とに関連付けられた提供情報を、そのユーザが保持するユーザ端末５０に送信できる。エアロゾル生成装置７０のユーザに応じた提供情報を設定できるため、ビーコン信号を受信したユーザ端末５０へ提供する情報のバリエーションを増加させることができる。
【００４０】
（変形例）
第１の実施形態の変形例の情報提供システム１ａは、エアロゾル生成装置７０のユーザへ、報償に関する情報を提供する点が、第１の実施形態の情報提供システム１と異なる。本変形例では、報償の一例として、位置情報通知の受信回数に基づいて、ポイントを付与する場合について説明を続ける。
第１の実施形態の変形例の情報提供システム１ａは、図１を適用できる。ただし、情報提供システム１ａは、第１の実施形態の情報提供システム１と、情報処理装置２００の代わりに情報処理装置２００ａを備える点で異なる。
【００４１】
（情報処理装置）
図１２は、第１の実施形態の変形例の情報処理装置の一例を示すブロック図である。
情報処理装置２００ａは、パーソナルコンピュータ、又は産業用コンピュータ等の装置によって実現される。なお、情報処理装置２００ａは、これらの例に限定されない。情報処理装置２００ａは、通信部２５１と、メモリ２５２と、記憶部２５３ａと、情報処理部２５７ａと、各構成要素を図１２に示されているように電気的に接続するためのアドレスバスやデータバスなどのバスライン２６３とを備える。
記憶部２５３ａは、例えば、ＲＡＭ、ＲＯＭ、ＨＤＤ、フラッシュメモリ、またはこれらのうち複数が組み合わされたハイブリッド型記憶装置などにより実現される。記憶部２５３ａには、情報処理部２５７ａにより実行されるプログラム２５４と、アプリ２５５ａとが記憶される。さらに、記憶部２５３ａは、ポイント付与情報２６０と、ポイント情報２６１とが記憶される。
アプリ２５５ａは、第１の実施形態において、アプリ２５５が、情報処理装置２００に実行させる機能と同様の機能に加えて、以下の機能を、情報処理装置２００ａに実行させる。アプリ２５５ａは、情報処理装置２００ａに、受信させた位置情報通知に含まれるユーザＩＤと、受信位置情報とを取得させた後に、記憶部２５３ａに記憶されているポイント付与情報２６０から、取得させたユーザＩＤと、受信位置情報との組み合わせに関連付けて記憶されている付与ポイントを取得させる。アプリ２５５ａは、情報処理装置２００ａに、記憶部２５３ａに記憶されているポイント情報２６１から、ユーザＩＤに関連付けて記憶されている合計ポイントに、取得させた付与ポイントを加算させることによって更新ポイントを導出させる。アプリ２５５ａは、情報処理装置２００ａに、導出させた更新ポイントで、そのユーザＩＤに関連付けて記憶されている合計ポイントを更新させる。アプリ２５５ａは、情報処理装置２００ａに、記憶部２５３ａに記憶されているポイント情報２６１から、ユーザＩＤに関連付けて記憶されている合計ポイントを取得させる。アプリ２５５ａは、情報処理装置２００ａに、取得させた合計ポイントと、ユーザＩＤとを含み、サーバ１００のアドレスを宛先とする提供情報通知を作成させる。アプリ２５５ａは、情報処理装置２００ａに、作成させた提供情報通知を、サーバ１００に送信させる。
【００４２】
（ポイント付与情報）
図１３は、ポイント付与情報の一例を示す図である。
ポイント付与情報２６０の一例は、ユーザＩＤと、受信位置情報と、付与ポイントを示す情報とを関連付けたテーブル形式の情報である。図１３に示される例では、ユーザＩＤ「ＡＡＡ」と、受信位置情報「△△△△」と、付与ポイント「ＹＹＹ」とが関連付けて記憶され、ユーザＩＤ「ＢＢＢ」と、受信位置情報「△△△△」と、付与ポイント「ＹＹＹ」とが関連付けて記憶され、ユーザＩＤ「ＣＣＣ」と、受信位置情報「△△△△」と、付与ポイント「ＹＹＹ」とが関連付けて記憶されている。
ポイント付与情報２６０の一例において、受信位置情報に基づいて、付与ポイントがマイナスの値であってもよい。例えば、受信位置情報が喫煙所を示す場合には付与ポイントをプラスとし、受信位置情報が喫煙所以外である場合には付与ポイントをマイナスとしてもよい。このように構成することによって、ユーザに喫煙所で喫煙することを促すことができる。
（ポイント情報）
図１４は、ポイント情報の一例を示す図である。
ポイント情報２６１の一例は、ユーザＩＤと、ユーザＩＤに該当するユーザが所有しているエアロゾル生成装置の種類を示す情報と、位置情報通知の受信回数を示す情報と、合計ポイントを示す情報とを関連付けたテーブル形式の情報である。図１４に示される例では、ユーザＩＤ「ＡＡＡ」と、エアロゾル生成装置の種類「非加熱型」と、位置情報通知の受信回数「１」と、合計ポイント「１００」とが関連付けて記憶され、ユーザＩＤ「ＢＢＢ」と、エアロゾル生成装置の種類「加熱型」と、位置情報通知の受信回数「０」と、合計ポイント「１５０」とが関連付けて記憶され、ユーザＩＤ「ＣＣＣ」と、エアロゾル生成装置の種類「紙巻きたばこ」と、位置情報通知の受信回数「２」と、合計ポイント「４００」とが関連付けて記憶されている。図１２に戻り説明を続ける。
【００４３】
情報処理部２５７ａの全部または一部は、例えば、ＣＰＵなどのプロセッサが記憶部２５３ａに格納されたプログラム２５４とアプリ２５５ａとを実行することにより実現されるソフトウェア機能部である。なお、情報処理部２５７ａの全部または一部は、ＬＳＩ、ＡＳＩＣ、またはＦＰＧＡなどのハードウェアにより実現されてもよく、ソフトウェア機能部とハードウェアとの組み合わせによって実現されてもよい。
情報処理部２５７ａは、例えば、受付部２５８と、導出部２６４と、作成部２５９ａとを備える。
受付部２５８は、受け付けた位置情報通知を、導出部２６４と、作成部２５９とに出力する。
導出部２６４は、受付部２５８が出力した位置情報通知を取得し、取得した位置情報通知に含まれるユーザＩＤと、受信位置情報とを取得する。導出部２６４は、記憶部２５３ａに記憶されているポイント付与情報２６０から、取得したユーザＩＤと、受信位置情報との組み合わせに関連付けて記憶されている付与ポイントを取得する。導出部２６４は、ユーザＩＤに基づいて、記憶部２５３ａに記憶されているポイント情報２６１から、そのユーザＩＤに関連付けて記憶されている合計ポイントに、取得した付与ポイントを加算することによって更新ポイントを導出する。導出部２６４は、導出した更新ポイントで、そのユーザＩＤに関連付けて記憶されている合計ポイントを更新する。
作成部２５９ａは、受付部２５８が出力した位置情報通知を取得し、取得した位置情報通知に含まれるユーザＩＤと、受信位置情報とを取得する。作成部２５９ａは、記憶部２５３ａに記憶されているポイント情報２６１から、取得したユーザＩＤに関連付けて記憶されている合計ポイントを示す情報を取得する。作成部２５９ａは、取得した合計ポイントを示す情報と、ユーザＩＤとを含み、サーバ１００のアドレスを宛先とする提供情報通知を作成する。作成部２５９ａは、作成した提供情報通知を、通信部２５１へ出力する。
【００４４】
第１の実施形態の情報提供システム１ａの動作は、図１１を適用できる。ただし、ステップＳ９の処理が異なる。
ステップＳ９では、情報処理部２５７ａの受付部２５８は、通信部２５１が出力した位置情報通知を取得し、取得した位置情報通知を受け付ける。受付部２５８は、受け付けた位置情報通知を、導出部２６４と、作成部２５９とに出力する。
導出部２６４は、受付部２５８が出力した位置情報通知を取得し、取得した位置情報通知に含まれるユーザＩＤと、受信位置情報とを取得する。導出部２６４は、記憶部２５３ａに記憶されているポイント付与情報２６０から、取得したユーザＩＤと、受信位置情報との組み合わせに関連付けて記憶されている付与ポイントを取得する。導出部２６４は、ユーザＩＤに基づいて、記憶部２５３ａに記憶されているポイント情報２６１から、そのユーザＩＤに関連付けて記憶されている合計ポイントに、取得させた付与ポイントを加算することによって更新ポイントを導出する。導出部２６４は、導出した更新ポイントで、そのユーザＩＤに関連付けて記憶されている合計ポイントを更新する。
作成部２５９ａは、受付部２５８が出力した位置情報通知を取得し、取得した位置情報通知に含まれるユーザＩＤと、受信位置情報とを取得する。作成部２５９ａは、記憶部２５３ａに記憶されているポイント情報２６１から、取得したユーザＩＤに関連付けて記憶されている合計ポイントを示す情報を取得する。作成部２５９ａは、取得した合計ポイントを示す情報と、ユーザＩＤとを含み、サーバ１００を宛先とする提供情報通知を作成する。作成部２５９ａは、作成した提供情報通知を、通信部２５１へ出力する。
【００４５】
第１の実施形態の変形例において、情報処理装置２００ａの記憶部２５３ａに、ユーザ通知情報２５６を記憶するようにし、作成部２５９ａは、記憶部２５３ａに記憶されているユーザ通知情報２５６から、取得したユーザＩＤと受信位置情報との組み合わせに関連付けて記憶されている提供情報を取得するようにしてもよい。作成部２５９ａは、合計ポイントを示す情報と、提供情報と、ユーザＩＤとを含み、サーバ１００を宛先とする提供情報通知を作成するようにしてもよい。
第１の実施形態の変形例の情報提供システム１ａによれば、情報処理装置２００ａは、エアロゾル生成装置７０のユーザのユーザＩＤに関連付けられた合計ポイントを示す情報を、そのユーザが保持するユーザ端末５０に送信できる。エアロゾル生成装置７０のユーザに、そのユーザに付与されている合計ポイントを示す情報を提供できるため、ビーコン信号を受信したユーザ端末５０へ提供する情報のバリエーションを増加させることができる。
【００４６】
（第２の実施形態）
（情報提供システム）
本発明の第２の実施形態の情報提供システムを、図面を参照して説明する。
第２の実施形態の情報提供システム１ｂの一例は、図１を適用できる。
情報提供システム１ｂは、第１の実施形態の情報提供システム１と、ビーコン送信装置１０が、エアロゾル生成装置７０を検出した場合に、ビーコン信号を送信する点で異なる。
以下、情報提供システム１ｂに含まれるエアロゾル生成装置７０と、ビーコン送信装置１０とについて説明する。
（エアロゾル生成装置）
図１５は、第２の実施形態の情報提供システムに含まれるエアロゾル生成装置と、ビーコン送信装置との一例を示すブロック図である。
エアロゾル生成装置７０は、通信部７１と、記憶部７３と、情報処理部７７と、検出部８０と、操作部８１と、各構成要素を図１５に示されているように電気的に接続するためのアドレスバスやデータバスなどのバスライン７２とを備える。なお、第２の実施形態のエアロゾル生成装置７０の概略構成図は、図２乃至図７の各々に例示した第１の実施形態のエアロゾル生成装置７０と同様である。
【００４７】
通信部７１は、通信モジュールによって実現される。具体的には、通信部７１は、無線ＬＡＮ（登録商標）、ブルートゥース（登録商標）等の無線通信技術で無線通信を行う無線デバイスによって構成される。通信部７１は、ビーコン信号などの無線信号を送信する。
記憶部７３は、例えば、ＲＡＭ、ＲＯＭ、フラッシュメモリ、またはこれらのうち複数が組み合わされたハイブリッド型記憶装置などにより実現される。記憶部７３には、情報処理部７７により実行されるプログラム７４が記憶される。
プログラム７４は、エアロゾル生成装置７０に、操作部８１に含まれる釦が押されるなどの所定の操作が行われた場合に、ビーコンＩＤを含むビーコン信号を作成させ、作成させたビーコン信号を送信させる。また、プログラム７４は、エアロゾル生成装置７０に、操作部８１に含まれる釦が押されるなどの所定の操作が行われた場合に、エアロゾル生成装置７０の位置情報と、ビーコンＩＤとを含むビーコン信号を作成させ、作成させたビーコン信号を送信させてもよい。ここでは、プログラム７４が、エアロゾル生成装置７０に、操作部８１に含まれる釦が押されるなどの所定の操作が行われた場合に、ビーコンＩＤを含むビーコン信号を作成させ、作成させたビーコン信号を送信させる場合について説明を続ける。
検出部８０は、エアロゾル生成装置７０の位置を検出し、検出したエアロゾル生成装置７０の位置情報を、情報処理部７７へ出力する。例えば、検出部８０は、グローバル・ポジショニング・システム(Global Positioning System: GPS)等の測位システムによって構成される。
操作部８１は、例えば、釦などを含んで構成され、釦が押されたことを検出し、釦が押されたことを示す情報を、情報処理部７７へ出力する。
【００４８】
情報処理部７７の全部または一部は、例えば、ＣＰＵなどのプロセッサが記憶部７３に格納されたプログラム７４を実行することにより実現されるソフトウェア機能部である。なお、情報処理部７７の全部または一部は、ＬＳＩ、ＡＳＩＣ、またはＦＰＧＡなどのハードウェアにより実現されてもよく、ソフトウェア機能部とハードウェアとの組み合わせによって実現されてもよい。
情報処理部７７は、例えば、作成部７９を備える。
作成部７９は、操作部８１が出力した釦が押されたことを示す情報を取得した場合に、エアロゾル生成装置７０のＩＤを含むビーコン信号を作成し、作成したビーコン信号を、通信部７１へ出力する。
【００４９】
（ビーコン送信装置）
ビーコン送信装置１０は、通信部１１と、メモリ１２と、記憶部１３と、情報処理部１７と、検出部２１と、各構成要素を図１５に示されているように電気的に接続するためのアドレスバスやデータバスなどのバスライン２３とを備える。
通信部１１は、通信モジュールによって実現される。具体的には、通信部１１は、無線ＬＡＮ（登録商標）、ブルートゥース（登録商標）等の無線通信技術で無線通信を行う無線デバイスによって構成されている。通信部１１は、エアロゾル生成装置７０が送信したビーコン信号を受信し、受信したビーコン信号を、情報処理部１７に出力する。通信部１１は、情報処理部１７が出力したビーコン信号を、通信部１１へ出力する。
メモリ１２は、半導体素子を利用した揮発性のメモリなどのＲＡＭによって構成され、情報処理部１７のワークメモリとして使用される。メモリ１２は、例えばフラッシュメモリ等によって構成される。
【００５０】
記憶部１３は、例えば、ＲＡＭ、ＲＯＭ、ＨＤＤ、フラッシュメモリ、またはこれらのうち複数が組み合わされたハイブリッド型記憶装置などにより実現される。記憶部１３には、情報処理部１７により実行されるプログラム１４と、アプリ１５とが記憶される。さらに、記憶部１３は、ビーコンＩＤｂｉｄが記憶される。
プログラム１４は、例えば、オペレーティングシステムであり、ユーザやアプリケーションプログラムとハードウェアの中間に位置し、ユーザやアプリケーションプログラムに対して標準的なインターフェースを提供すると同時に、ハードウェアなどの各リソースに対して効率的な管理を行う。
アプリ１５は、ビーコン送信装置１０に、エアロゾル生成装置７０が送信したビーコン信号を受信させる。アプリ１５は、ビーコン送信装置１０に、ビーコン信号を受信させたことを契機として、記憶部１３に記憶されているビーコンＩＤｂｉｄを取得させ、取得させたビーコンＩＤｂｉｄを含むビーコン信号を作成させる。
また、アプリ１５は、ビーコン送信装置１０に、エアロゾル生成装置７０を検出させる。アプリ１５は、ビーコン送信装置１０に、エアロゾル生成装置７０を検出させたことを契機として、記憶部１３に記憶されているビーコンＩＤｂｉｄを取得させ、取得させたビーコンＩＤｂｉｄを含むビーコン信号を生成させる。アプリ１５は、ビーコン送信装置１０に、生成させたビーコン信号を送信させる。
ビーコンＩＤｂｉｄは、ビーコン送信装置１０が送信するビーコン信号を識別するための情報である。
【００５１】
情報処理部１７の全部または一部は、例えば、ＣＰＵなどのプロセッサが記憶部１３に格納されたプログラム１４とアプリ１５とを実行することにより実現されるソフトウェア機能部である。なお、情報処理部１７の全部または一部は、ＬＳＩ、ＡＳＩＣ、またはＦＰＧＡなどのハードウェアにより実現されてもよく、ソフトウェア機能部とハードウェアとの組み合わせによって実現されてもよい。
情報処理部１７は、例えば、受付部１８と、作成部１９とを備える。
受付部１８は、通信部１１が出力したビーコン信号を取得し、取得したビーコン信号を受け付ける。受付部１８は、受け付けたビーコン信号を、作成部１９に出力する。また、受付部１８は、検出部２１が出力したエアロゾル生成装置７０を検出したことを示す情報を取得し、取得したエアロゾル生成装置７０を検出したことを示す情報を、作成部１９に出力する。
作成部１９は、受付部１８が出力したビーコン信号とエアロゾル生成装置７０を検出したことを示す情報とのいずれか一方又は両方を取得したことを契機として、記憶部１３に記憶されているビーコンＩＤｂｉｄを取得する。作成部１９は、取得したビーコンＩＤｂｉｄを含むビーコン信号を作成する。作成部１９は、作成したビーコン信号を、通信部１１へ出力する。
検出部２１は、エアロゾル生成装置７０を検出する。具体的には、検出部２１は、画像センサによって構成される。検出部２１は、エアロゾル生成装置の画像的な特徴を記憶しており、撮像装置で捉えた映像から対象物の画像的な特徴を抽出し、抽出した対象物の画像的な特徴と、記憶しているエアロゾル生成装置の画像的な特徴とに基づいて、撮像装置で捉えた映像がエアロゾル生成装置であるか否かを判定する。検出部２１は、エアロゾル生成装置を捉えたと判定した場合に、エアロゾル生成装置７０を検出したことを示す情報を、情報処理部１７に出力する。
【００５２】
（情報提供システムの動作）
図１６は、第２の実施形態の情報提供システムの動作の一例を示すシーケンスチャートである。図１６には、エアロゾル生成装置７０が送信したビーコン信号を、ビーコン送信装置１０が受信した場合に、ビーコン送信装置１０がユーザ端末５０に受信させるビーコン信号を送信する場合について説明する。
（ステップＳ２１）
エアロゾル生成装置７０の作成部７９は、操作部８１が出力した釦が押されたことを示す情報を取得した場合に、ビーコンＩＤを含むビーコン信号を作成する。
（ステップＳ２２）
エアロゾル生成装置７０の作成部７９は、作成したビーコン信号を、通信部７１に出力する。通信部７１は、作成部７９が出力したビーコン信号を取得し、取得したビーコン信号を送信する。
（ステップＳ２３）
ビーコン送信装置１０の通信部１１は、エアロゾル生成装置７０が送信したビーコン信号を受信し、受信したビーコン信号を、情報処理部１７に出力する。受付部１８は、通信部１１が出力したビーコン信号を取得し、取得したビーコン信号を受け付ける。受付部１８は、受け付けたビーコン信号を、作成部１９に出力する。作成部１９は、受付部１８が出力したビーコン信号を取得したことを契機として、記憶部１３に記憶したビーコンＩＤｂｉｄを取得する。作成部１９は、取得したビーコンＩＤｂｉｄを含むビーコン信号を作成する。
（ステップＳ２４）
作成部１９は、作成したビーコン信号を、通信部１１へ出力する。通信部１１は、作成部１９が出力したビーコン信号を取得し、取得したビーコン信号を送信する。
ステップＳ２５からＳ３８は、前述した図１１のステップＳ２からＳ１５を適用できる。
【００５３】
前述した第２の実施形態では、エアロゾル生成装置７０が送信するビーコン信号を受信した場合と、ビーコン送信装置１０がエアロゾル生成装置７０を検出した場合とのいずれか一方又は両方の場合に、ビーコン送信装置１０が、ユーザ端末５０に受信させるビーコン信号を送信する場合について説明したが、この例に限られない。例えば、ＦｅｌｉＣａ（登録商標）などの短距離無線通信技術を使用して、エアロゾル生成装置７０とビーコン送信装置１０との間で、通信ができた場合に、ビーコン送信装置１０がビーコン信号を送信するようにしてもよい。
前述した第２の実施形態においては、エアロゾル生成装置７０が、操作部８１に含まれる釦が押されるなどの所定の操作が行われた場合に、ビーコンＩＤを含むビーコン信号を作成し、作成したビーコン信号を送信する場合について説明したが、この例にかぎられない。例えば、エアロゾル生成装置７０は、操作部８１に含まれる釦が押されるなどの所定の操作が行われた場合に、エアロゾル生成装置７０の位置情報と、ビーコンＩＤとを含むビーコン信号を作成し、作成したビーコン信号を送信してもよい。この場合に、ユーザ端末５０は、エアロゾル生成装置７０が送信したビーコン信号を受信し、受信したビーコン信号に含まれるビーコンＩＤと、エアロゾル生成装置７０の位置情報を取得し、取得したビーコンＩＤと、エアロゾル生成装置７０の位置情報と、ユーザＩＤｕｉｄとを含む識別情報を作成し、作成した識別情報を、サーバ１００へ送信する。その後の処理は、受信位置情報の代わりに、エアロゾル生成装置７０の位置情報を使用して行われる。このように構成することによって、ビーコン送信装置１０が設置されていない環境でも、エアロゾル生成装置７０のユーザが保持するユーザ端末に、情報を提供できる。
第２の実施形態の情報提供システムによれば、ビーコン送信装置１０は、エアロゾル生成装置７０を検出した場合に、ビーコン信号を送信するため、ビーコン送信装置１０の省電力化を図ることができるとともに、ビーコン送信装置１０が設置された喫煙所にいるユーザへ、情報を提供できる。
【００５４】
（第３の実施形態）
（情報提供システム）
本発明の第３の実施形態の情報提供システムを、図面を参照して説明する。第３の実施形態の情報提供システム１ｃは、エアロゾル生成装置７０のユーザがエアロゾル生成装置７０を紛失した場合に、そのユーザが保持するユーザ端末５０に、紛失したエアロゾル生成装置７０の場所を通知する。
図１７は、第３の実施形態の情報提供システムの一例を示す図である。本実施形態の情報提供システム１ｃは、ユーザ端末５０ｃ−１と、ユーザ端末５０ｃ−２と、エアロゾル生成装置７０と、サーバ１００ｃと、情報処理装置２００ｃとを備える。ユーザ端末５０ｃ−１と、ユーザ端末５０ｃ−２と、サーバ１００ｃと、情報処理装置２００ｃとは、通信網ＮＥＴを介して互いに、接続される。
ユーザは、エアロゾル生成装置７０と、ユーザ端末５０ｃ−２とを保持している。また、エアロゾル生成装置７０と、ユーザ端末５０ｃ−２とは、通信を行っている。
エアロゾル生成装置７０とユーザ端末５０ｃ−２とのペアリングが切れたことを契機として、エアロゾル生成装置７０は、エアロゾル生成装置７０のＩＤと、ビーコンＩＤとを含むビーコン信号を送信する。
ユーザ端末５０ｃ−１は、ビーコンＩＤと、サーバ１００ｃのアドレスとを関連付けて記憶している。ユーザ端末５０ｃ−１は、エアロゾル生成装置７０が送信したビーコン信号を受信し、受信したビーコン信号に含まれるエアロゾル生成装置７０のＩＤと、ビーコンＩＤとを含み、ビーコンＩＤに関連付けられるサーバ１００ｃのアドレスを宛先とする識別情報を作成する。ユーザ端末５０ｃ−１は、作成した識別情報を、サーバ１００ｃへ送信する。なお、エアロゾル生成装置７０のＩＤは、エアロゾル生成装置を一意に識別可能な識別子である。
サーバ１００ｃは、ユーザ端末５０ｃ−１と、ユーザ端末５０ｃ−２とに対してメッセージを送信可能なメッセージ交換システムに含まれる。サーバ１００ｃは、ビーコンＩＤと情報処理装置２００ｃのアドレスと受信位置情報とを関連付けて記憶している。サーバ１００ｃは、ユーザ端末５０ｃ−１が送信した識別情報を受信し、受信した識別情報に含まれるエアロゾル生成装置７０のＩＤと、ビーコンＩＤとを取得する。サーバ１００ｃは、取得したビーコンＩＤに関連付けられている情報処理装置２００ｃのアドレスと、受信位置情報とを取得し、エアロゾル生成装置７０のＩＤと、受信位置情報とを含み、情報処理装置２００ｃのアドレスを宛先とする位置情報通知を作成し、作成した位置情報通知を、情報処理装置２００ｃに送信する。
情報処理装置２００ｃは、サーバ１００ｃが送信した位置情報通知を受信し、受信した位置情報通知に含まれるエアロゾル生成装置７０のＩＤと、受信位置情報とを取得する。情報処理装置２００ｃは、取得したエアロゾル生成装置７０のＩＤと、受信位置情報とを関連付けた位置情報を作成し、作成した位置情報を記憶する。
【００５５】
ユーザ端末５０ｃ−２は、ビーコンＩＤと、サーバ１００ｃのアドレスとを関連付けて記憶している。ユーザ端末５０ｃ−２は、エアロゾル生成装置７０のＩＤと、エアロゾル生成装置７０が送信するビーコン信号に含まれるビーコンＩＤと、エアロゾル生成装置７０のＩＤとを記憶している。ユーザ端末５０ｃ−２は、エアロゾル生成装置７０のＩＤを含み、ビーコンＩＤに関連付けられるサーバ１００ｃのアドレスを宛先とする位置情報を要求する信号（以下「位置情報要求」という）を作成する。ユーザ端末５０ｃ−２は、作成した位置情報要求を、サーバ１００ｃへ送信する。
サーバ１００ｃは、ユーザ端末５０ｃ−２が送信した位置情報要求を受信し、受信した位置情報要求に含まれるエアロゾル生成装置７０のＩＤを取得する。サーバ１００ｃは、取得したエアロゾル生成装置７０のＩＤを含み、情報処理装置２００を宛先とする位置情報を取得することを要求する信号（以下「位置情報取得要求」という）を作成し、作成した位置情報取得要求を、情報処理装置２００ｃに送信する。
情報処理装置２００ｃは、サーバ１００ｃが送信した位置情報取得要求を受信し、受信した位置情報要求に含まれるエアロゾル生成装置７０のＩＤを取得する。情報処理装置２００ｃは、取得したエアロゾル生成装置７０のＩＤに基づいて、そのエアロゾル生成装置７０のＩＤに関連付けて記憶されている受信位置情報を、記憶している位置情報から取得する。情報処理装置２００ｃは、取得した受信位置情報を含み、サーバ１００ｃを宛先とする位置を通知する情報（以下「位置通知情報」という）を作成し、作成した位置通知情報を、サーバ１００ｃへ送信する。
サーバ１００ｃは、情報処理装置２００ｃが送信した位置通知情報を受信し、受信した位置通知情報に含まれる受信位置情報を取得し、取得した受信位置情報を含み、ユーザ端末５０ｃ−２を宛先とする位置情報を作成し、作成した位置情報を、ユーザ端末５０ｃ−２へ送信する。
ユーザ端末５０ｃ−２は、サーバ１００ｃが送信した位置情報を受信し、受信した位置情報に含まれる受信位置情報を処理することによって表示する。
以下、ユーザ端末５０ｃ−１と、ユーザ端末５０ｃ−２とのうち、任意のユーザ端末をユーザ端末５０ｃと記載する。
以下、情報提供システム１ｃに含まれるユーザ端末５０ｃと、エアロゾル生成装置７０と、サーバ１００ｃと、情報処理装置２００ｃとについて説明する。
【００５６】
（ユーザ端末）
図１８は、第３の実施形態の情報提供システムの一例を示すブロック図である。ユーザ端末５０ｃは、スマートフォン、携帯端末、又はパーソナルコンピュータ、タブレット端末装置、腕時計型端末装置、眼鏡型端末装置、あるいはその他の情報処理機器として実現される。また、ユーザ端末５０は、スマートスピーカー（ＡＩスピーカー；「ＡＩ」は「人工知能」の略）や、ヘッドマウントディスプレイ（ＨＭＤ：Ｈｅａｄ  Ｍｏｕｎｔｅｄ  Ｄｉｓｐｌａｙ）であってもよい。ただし、ユーザ端末５０は、これらの例に限定されない。ユーザ端末５０ｃは、通信部５１と、メモリ５２と、記憶部５３ｃと、情報処理部５７ｃと、操作部６１と、表示部６２と、各構成要素を図１８に示されているように電気的に接続するためのアドレスバスやデータバスなどのバスライン６３とを備える。
通信部５１は、サーバ１００ｃが送信した位置情報を受信し、受信した位置情報を情報処理部５７ｃに出力する。
記憶部５３ｃは、例えば、ＲＡＭ、ＲＯＭ、ＨＤＤ、フラッシュメモリ、またはこれらのうち複数が組み合わされたハイブリッド型記憶装置などにより実現される。記憶部５３ｃには、情報処理部５７ｃにより実行されるプログラム５４と、アプリ５５ｃとが記憶される。さらに、記憶部５３ｃは、ユーザＩＤｕｉｄが記憶される。
アプリ５５ｃは、第１の実施形態において、アプリ５５が、ユーザ端末５０ｃに実行させる機能と同様の機能に加えて、以下の機能を、ユーザ端末５０ｃに実行させる。アプリ５５ｃは、ユーザ端末５０ｃに、エアロゾル生成装置７０が送信するビーコン信号に含まれるビーコンＩＤと、エアロゾル生成装置７０のＩＤとを記憶させる。アプリ５５ｃは、ユーザ端末５０ｃと、エアロゾル生成装置７０との通信が切断されたことを契機として、ユーザ端末５０ｃに、エアロゾル生成装置７０のＩＤを含み、ビーコンＩＤに関連付けられるサーバ１００ｃのアドレスを宛先とする位置情報要求を作成させる。アプリ５５ｃは、ユーザ端末５０ｃに、作成させた位置情報要求を、サーバ１００ｃへ送信させる。アプリ５５ｃは、ユーザ端末５０ｃに、サーバ１００ｃが送信した位置情報を受信させ、受信させた位置情報に含まれる受信位置情報を処理することによって表示させる。
【００５７】
情報処理部５７ｃの全部または一部は、例えば、ＣＰＵなどのプロセッサが記憶部５３ｃに格納されたプログラム５４とアプリ５５ｃとを実行することにより実現されるソフトウェア機能部である。なお、情報処理部５７ｃの全部または一部は、ＬＳＩ、ＡＳＩＣ、またはＦＰＧＡなどのハードウェアにより実現されてもよく、ソフトウェア機能部とハードウェアとの組み合わせによって実現されてもよい。
情報処理部５７ｃは、例えば、受付部５８と、作成部５９ｃと、処理部６０とを備える。
受付部５８は、操作部６１が出力した位置情報を要求することを示す情報を取得し、取得した位置情報を要求することを示す情報を受け付ける。受付部５８は、受け付けた位置情報を要求することを示す情報を、作成部５９ｃに出力する。受付部５８は、通信部５１が出力した位置情報を取得し、取得した位置情報を、処理部６０に出力する。
作成部５９ｃは、受付部５８が出力した位置情報を要求することを示す情報を取得した場合に、ビーコンＩＤと、エアロゾル生成装置７０のＩＤとを、記憶部５３ｃから取得する。作成部５９ｃは、取得したエアロゾル生成装置７０のＩＤを含み、ビーコンＩＤに関連付けられるサーバ１００ｃのアドレスを宛先とする位置情報要求を作成する。作成部５９ｃは、作成した位置情報要求を、通信部５１へ出力する。
処理部６０は、受付部５８が出力した位置情報を取得し、取得した位置情報を処理し、処理した結果を、表示部６２に表示する。
【００５８】
（エアロゾル生成装置）
エアロゾル生成装置７０は、図１５を参照して説明した第２の実施形態のエアロゾル生成装置７０を適用できる。なお、第３の実施形態のエアロゾル生成装置７０の概略構成図は、図２乃至図７の各々に例示した第１の実施形態のエアロゾル生成装置７０と同様である。
（サーバ）
サーバ１００ｃは、パーソナルコンピュータ、又は産業用コンピュータ等の装置によって実現される。なお、サーバ１００ｃは、これらの例に限定されない。サーバ１００ｃは、通信部１５１と、メモリ１５２と、記憶部１５３ｃと、情報処理部１５７ｃと、各構成要素を図１８に示されているように電気的に接続するためのアドレスバスやデータバスなどのバスライン１６３とを備える。
通信部１５１は、ユーザ端末５０ｃ−２が送信した位置情報要求を受信し、受信した位置情報要求を、情報処理部１５７ｃへ出力する。通信部１５１は、情報処理部１５７ｃが出力した位置情報取得要求を取得し、取得した位置情報取得要求を、情報処理装置２００ｃへ送信する。通信部１５１は、情報処理装置２００ｃが送信した位置通知情報を受信し、受信した位置通知情報を、情報処理部１５７ｃへ出力する。通信部１５１は、情報処理部１５７ｃが出力した位置情報を取得し、取得した位置情報を、ユーザ端末５０ｃへ送信する。
【００５９】
記憶部１５３ｃは、例えば、ＲＡＭ、ＲＯＭ、ＨＤＤ、フラッシュメモリ、またはこれらのうち複数が組み合わされたハイブリッド型記憶装置などにより実現される。記憶部１５３ｃには、情報処理部１５７により実行されるプログラム１５４と、アプリ１５５ｃとが記憶される。さらに、記憶部１５３ｃは、ビーコン関連情報１５６が記憶される。
アプリ１５５ｃは、サーバ１００ｃに、第１の実施形態において、アプリ１５５がサーバ１００に実行させる機能と同様の機能に加え、以下の機能を、サーバ１００ｃに実行させる。アプリ１５５ｃは、サーバ１００ｃに、ユーザ端末５０ｃ−２が送信した位置情報要求を受信させる。アプリ１５５ｃは、サーバ１００ｃに、受信させた位置情報要求に含まれるエアロゾル生成装置７０のＩＤを取得させる。アプリ１５５ｃは、サーバ１００ｃは、取得させたエアロゾル生成装置７０のＩＤを含み、情報処理装置２００ｃのアドレスを宛先とする位置情報取得要求を作成させ、作成させた位置情報取得要求を、情報処理装置２００ｃに送信させる。アプリ１５５ｃは、サーバ１００ｃに、情報処理装置２００ｃが送信した位置通知情報を受信させ、受信させた位置通知情報に含まれる受信位置情報を取得させる。アプリ１５５ｃは、サーバ１００ｃに、取得させた受信位置情報を含み、ユーザ端末５０ｃ−２のアドレスを宛先とする位置情報を作成させ、作成させた位置情報を、ユーザ端末５０ｃ−２へ送信させる。
【００６０】
情報処理部１５７ｃの全部または一部は、例えば、ＣＰＵなどのプロセッサが記憶部１５３ｃに格納されたプログラム１５４とアプリ１５５ｃとを実行することにより実現されるソフトウェア機能部である。なお、情報処理部１５７ｃの全部または一部は、ＬＳＩ、ＡＳＩＣ、またはＦＰＧＡなどのハードウェアにより実現されてもよく、ソフトウェア機能部とハードウェアとの組み合わせによって実現されてもよい。
情報処理部１５７ｃは、例えば、受付部１５８と、作成部１５９ｃとを備える。
受付部１５８は、通信部１５１が出力した位置情報要求を取得し、取得した位置情報要求を受け付ける。受付部１５８は、受け付けた位置情報要求を、作成部１５９ｃに出力する。受付部１５８は、通信部１５１が出力した位置通知情報を取得し、取得した位置通知情報を受け付ける。受付部１５８は、受け付けた位置通知情報を、作成部１５９ｃに出力する。
作成部１５９ｃは、受付部１５８が出力した位置情報要求を取得し、取得した位置情報要求に含まれるエアロゾル生成装置７０のＩＤを取得する。作成部１５９ｃは、取得したエアロゾル生成装置７０のＩＤを含み、情報処理装置２００ｃを宛先とする位置情報取得要求を作成し、作成した位置情報取得要求を、通信部１５１に出力する。作成部１５９ｃは、受付部１５８が出力した位置通知情報を取得し、取得した位置通知情報に含まれる受信位置情報を取得する。作成部１５９ｃは、取得した受信位置情報を含み、ユーザ端末５０ｃ−２を宛先とする位置情報を作成し、作成した位置情報を、通信部１５１に出力する。
【００６１】
（情報処理装置）
情報処理装置２００ｃは、パーソナルコンピュータ、又は産業用コンピュータ等の装置によって実現される。なお、情報処理装置２００ｃは、これらの例に限定されない。情報処理装置２００ｃは、通信部２５１と、メモリ２５２と、記憶部２５３ｃと、情報処理部２５７ｃと、各構成要素を図１８に示されているように電気的に接続するためのアドレスバスやデータバスなどのバスライン２６３とを備える。
通信部２５１は、サーバ１００ｃが送信した位置情報取得要求を受信し、受信した位置情報取得要求を、情報処理部２５７ｃへ出力する。通信部２５１は、情報処理部２５７ｃが出力した位置通知情報を取得し、取得した位置通知情報を、サーバ１００ｃへ送信する。
記憶部２５３ｃは、例えば、ＲＡＭ、ＲＯＭ、ＨＤＤ、フラッシュメモリ、またはこれらのうち複数が組み合わされたハイブリッド型記憶装置などにより実現される。記憶部２５３ｃには、情報処理部２５７ｃにより実行されるプログラム２５４と、アプリ２５５ｃとが記憶される。さらに、記憶部２５３ｃは、ユーザ通知情報２５６が記憶される。
アプリ２５５ｃは、情報処理装置２００ｃに、第１の実施形態において、アプリ２５５が情報処理装置２００に実行させる機能と同様の機能に加え、以下の機能を、情報処理装置２００ｃに実行させる。アプリ２５５ｃは、情報処理装置２００ｃに、サーバ１００が送信した位置情報通知を受信させ、受信させた位置情報通知に含まれるエアロゾル生成装置７０のＩＤと、受信位置情報とを取得させる。アプリ２５５ｃは、情報処理装置２００ｃに、取得させたエアロゾル生成装置７０のＩＤと、受信位置情報とを関連付けた位置情報を作成させ、作成させた位置情報を記憶させる。
アプリ２５５ｃは、情報処理装置２００ｃに、サーバ１００が送信した位置情報要求を受信させる。アプリ２５５ｃは、情報処理装置２００ｃに、受信させた位置情報要求に含まれるエアロゾル生成装置７０のＩＤを取得させる。アプリ２５５ｃは、情報処理装置２００ｃに、取得させたエアロゾル生成装置７０のＩＤに基づいて、そのエアロゾル生成装置７０のＩＤに関連付けて記憶されている受信位置情報を、記憶している位置情報から取得させる。アプリ２５５ｃは、情報処理装置２００ｃに、取得させた受信位置情報を含み、サーバ１００ｃを宛先とする位置通知情報を作成させ、作成させた位置通知情報を、サーバ１００ｃへ送信させる。
【００６２】
情報処理部２５７ｃの全部または一部は、例えば、ＣＰＵなどのプロセッサが記憶部２５３ｃに格納されたプログラム２５４とアプリ２５５ｃとを実行することにより実現されるソフトウェア機能部である。なお、情報処理部２５７ｃの全部または一部は、ＬＳＩ、ＡＳＩＣ、またはＦＰＧＡなどのハードウェアにより実現されてもよく、ソフトウェア機能部とハードウェアとの組み合わせによって実現されてもよい。
情報処理部２５７ｃは、例えば、受付部２５８と、作成部２５９ｃとを備える。
受付部２５８は、通信部２５１が出力した位置情報通知を取得し、取得した位置情報通知を、作成部２５９ｃに出力する。受付部２５８は、通信部２５１が出力した位置情報取得要求を取得し、取得した位置情報取得要求を、作成部２５９ｃに出力する。
作成部２５９ｃは、受付部２５８が出力した位置情報通知を取得し、取得した位置情報通知に含まれるエアロゾル生成装置７０のＩＤと、受信位置情報とを取得する。作成部２５９ｃは、取得したエアロゾル生成装置７０のＩＤと、受信位置情報とを関連付けた位置情報を作成し、作成した位置情報を、記憶部２５３ｃに記憶する。作成部２５９ｃは、受付部２５８が出力した位置情報取得要求を取得し、取得した位置情報取得要求に含まれるエアロゾル生成装置７０のＩＤを取得する。作成部２５９ｃは、取得したエアロゾル生成装置７０のＩＤに基づいて、そのエアロゾル生成装置７０のＩＤに関連付けて記憶されている受信位置情報を、記憶部２５３ｃから取得する。作成部２５９ｃは、取得した受信位置情報を含み、サーバ１００ｃを宛先とする位置通知情報を作成し、作成した位置通知情報を、通信部２５１に出力する。
【００６３】
（情報提供システムの動作）
図１９、図２０は、第３の実施形態の情報提供システムの動作の一例を示すシーケンスチャートである。図１９、図２０に示される例では、ユーザ端末５０ｃ−２と、エアロゾル生成装置７０との間で通信が行われていたが、切断された場合について説明する。
（ステップＳ４１）
ユーザ端末５０ｃ−２の通信部５１は、エアロゾル生成装置７０との間の通信を切断する。
（ステップＳ４２）
エアロゾル生成装置７０の通信部７１は、ユーザ端末５０ｃ−２との間の通信を切断する。
（ステップＳ４３）
エアロゾル生成装置７０の作成部７９は、ユーザ端末５０ｃ−２との間の通信が切断されたことを契機として、ビーコンＩＤと、エアロゾル生成装置７０のＩＤとを含むビーコン信号を作成する。
（ステップＳ４４）
エアロゾル生成装置７０の作成部７９は、作成したビーコン信号を、通信部７１に出力する。通信部７１は、作成部７９が出力したビーコン信号を取得し、取得したビーコン信号を送信する。
（ステップＳ４５）
ユーザ端末５０ｃ−１の通信部５１は、エアロゾル生成装置７０が送信したビーコン信号を受信し、受信したビーコン信号を、情報処理部５７へ出力する。
ステップＳ４６からＳ５１は、図１６を参照して説明したステップＳ２６からＳ３１を適用できる。
【００６４】
（ステップ５２）
情報処理装置２００ｃの作成部２５９ｃは、受付部２５８が出力した位置情報通知を取得し、取得した位置情報通知に含まれるエアロゾル生成装置７０のＩＤと、受信位置情報とを取得する。作成部２５９ｃは、取得したエアロゾル生成装置７０のＩＤと、受信位置情報とを関連付けた位置情報を作成する。
（ステップＳ５３）
作成部２５９ｃは、作成した位置情報を、記憶部２５３ｃに記憶する。
図２０を参照し、説明を続ける。
（ステップＳ５４）
ユーザ端末５０ｃ−２の受付部５８は、操作部６１が出力した位置情報を要求することを示す情報を取得し、取得した位置情報を要求することを示す情報を受け付ける。受付部５８は、受け付けた位置情報を要求することを示す情報を、作成部５９ｃに出力する。
作成部５９ｃは、受付部５８が出力した位置情報を要求することを示す情報を取得した場合に、ビーコンＩＤと、エアロゾル生成装置７０のＩＤとを、記憶部５３ｃから取得する。作成部５９ｃは、取得したエアロゾル生成装置７０のＩＤを含み、ビーコンＩＤに関連付けられるサーバ１００ｃを宛先とする位置情報要求を作成する。
（ステップＳ５５）
作成部５９ｃは、作成した位置情報要求を、通信部５１へ出力する。通信部５１は、作成部５９ｃが出力した位置情報要求を取得し、取得した位置情報要求を、サーバ１００ｃへ送信する。
（ステップＳ５６）
サーバ１００ｃの通信部１５１は、ユーザ端末５０ｃ−２が送信した位置情報要求を受信し、受信した位置情報要求を、情報処理部１５７ｃへ出力する。
（ステップＳ５７）
情報処理部１５７ｃの受付部１５８は、通信部１５１が出力した位置情報要求を取得し、取得した位置情報要求を受け付ける。受付部１５８は、受け付けた位置情報要求を、作成部１５９ｃに出力する。作成部１５９ｃは、受付部１５８が出力した位置情報要求を取得し、取得した位置情報要求に含まれるエアロゾル生成装置７０のＩＤを取得する。作成部１５９ｃは、取得したエアロゾル生成装置７０のＩＤを含み、情報処理装置２００ｃのアドレスを宛先とする位置情報取得要求を作成する。
（ステップＳ５８）
作成部１５９ｃは、作成した位置情報取得要求を、通信部１５１へ出力する。通信部１５１は、作成部１５９ｃが出力した位置情報取得要求を取得し、取得した位置情報取得要求を、情報処理装置２００ｃへ送信する。
（ステップＳ６５）
情報処理装置２００ｃの通信部２５１は、サーバ１００ｃが送信した位置情報取得要求を受信し、受信した位置情報取得要求を、情報処理部２５７ｃへ出力する。
（ステップＳ６０）
情報処理部２５７ｃの受付部２５８は、通信部２５１が出力した位置情報取得要求を取得し、取得した位置情報取得要求を、作成部２５９ｃに出力する。作成部２５９ｃは、受付部２５８が出力した位置情報取得要求を取得し、取得した位置情報取得要求に含まれるエアロゾル生成装置７０のＩＤを取得する。
【００６５】
（ステップＳ６１）
作成部２５９ｃは、取得したエアロゾル生成装置７０のＩＤに基づいて、そのエアロゾル生成装置７０のＩＤに関連付けて記憶されている受信位置情報を、記憶部２５３ｃに記憶されている位置情報から取得する。作成部２５９ｃは、取得した受信位置情報を含み、サーバ１００ｃのアドレスを宛先とする位置通知情報を作成し、作成した位置通知情報を、通信部２５１に出力する。
（ステップＳ６２）
通信部２５１は、作成部２５９ｃが出力した位置通知情報を取得し、取得した位置通知情報を、サーバ１００ｃへ送信する。
（ステップＳ６３）
サーバ１００ｃの通信部１５１は、情報処理装置２００ｃが送信した位置通知情報を受信し、受信した位置通知情報を、情報処理部１５７ｃへ出力する。
（ステップＳ６４）
情報処理部１５７ｃの受付部１５８は、通信部１５１が出力した位置通知情報を取得し、取得した位置通知情報を受け付ける。受付部１５８は、受け付けた位置通知情報を、作成部１５９ｃに出力する。作成部１５９ｃは、受付部１５８が出力した位置通知情報を取得し、取得した位置通知情報に含まれる受信位置情報を取得する。作成部１５９ｃは、取得した受信位置情報を含み、ユーザ端末５０ｃ−２を宛先とする位置情報を作成し、作成した位置情報を、通信部１５１に出力する。
（ステップＳ６５）
通信部１５１は、情報処理部１５７ｃが出力した位置情報を取得し、取得した位置情報を、ユーザ端末５０ｃ−２へ送信する。
（ステップＳ６６）
ユーザ端末５０ｃ−２の通信部５１は、サーバ１００ｃが送信した位置情報を受信し、受信した位置情報を、情報処理部５７ｃへ出力する。
（ステップＳ６７）
情報処理部５７ｃの受付部５８は、通信部５１が出力した位置情報を取得し、取得した位置情報を受け付ける。受付部５８は、受け付けた位置情報を、処理部６０に出力する。
処理部６０は、受付部５８が出力した位置情報を取得し、取得した位置情報を処理し、処理した結果を、表示部６２に表示する。
第３の実施形態の情報提供システム１ｃによれば、情報処理装置２００ｃは、サーバ１００ｃが送信した位置情報通知に含まれるエアロゾル生成装置７０のＩＤと、受信位置情報とを関連付けた位置情報を作成し、作成した位置情報を記憶する。このため、ユーザ端末５０ｃ−２が、紛失したエアロゾル生成装置７０のＩＤを含み、ビーコンＩＤに関連付けられるサーバ１００ｃを宛先とする位置情報要求を送信した場合に、情報処理装置２００ｃは、記憶している位置情報に基づいて、ユーザ端末５０ｃ−２に、紛失したエアロゾル生成装置７０の位置情報を提供できる。
前述した第１の実施形態、第１の実施形態の変形例、第２の実施形態、第３の実施形態において、位置情報通知はビーコン信号に関する情報の一例であり、喫煙所はエアロゾル生成装置を使用可能な場所の一例であり、受付部は取得部の一例である。
【００６６】
以上、実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組合せを行うことができる。これら実施形態は、発明の範囲や要旨に含まれると同時に、特許請求の範囲に記載された発明とその均等の範囲に含まれるものである。
【００６７】
例えば、前述したバッテリ７１０をバッテリ装置２８として構成してもよい。なお、バッテリ装置２８は、エアロゾル生成装置７０に格納可能に構成される。
図２１は、本実施形態によるバッテリ装置の概略機能構成を示すブロック図である。図示するように、バッテリ装置２８は、制御部２８１と、記憶部２８２と、通信部２８３と、蓄電部２８５とを含んで構成される。
制御部２８１は、バッテリ装置２８の全体を制御する。特に、制御部２８１は、は、バッテリ装置２８の使用状況（他の装置との接続状況や、バッテリ装置２８の充電状況等）を検知・把握し、記憶部２８２への情報の読み書きを行ったり、通信部２８３を用いた情報の送受信を行ったりする。コンピュータとプログラムとを用いて制御部２８１を実現するようにしてもよい。
制御部２８１は、バッテリ装置２８の個体をユニークに識別するための装置ＩＤを、記憶部２８２から読み出すことができる。制御部２８１は、必要に応じて、バッテリ装置２８自身の装置ＩＤを、ビーコン送信装置１０やユーザ端末５０に送信することができる。
記憶部２８２は、バッテリ装置２８の制御のための情報を記憶するものである。記憶部２８２は、少なくとも、バッテリ装置２８の個体をユニークに識別することのできる装置ＩＤを記憶する。記憶部２８２は、例えば、半導体メモリを用いて実現される。
通信部２８３は、無線通信手段等による外部装置との通信を行う機能を有する。通信部２８３は、例えば、近距離の、例えば数メートルから数百メートル程度までの無線通信を行う。通信部２８３は、バッテリ装置２８と、ビーコン送信装置１０やユーザ端末５０にとの間の通信を実現する。
蓄電部２８５は、電力を蓄積するものである。充電装置（図示なし）を用いて蓄電部２８５に電力を蓄積することができる。また、蓄電部２８５に蓄積された電力を、エアロゾル生成装置７０に供給することができる。
このように、バッテリ装置２８が通信機能を有するため、本実施形態におけるビーコン送信装置１０やユーザ端末５０には、バッテリ装置２８から各種情報を直接受信したり処理したりすることができる。例えば、バッテリ装置２８は、通信機能を有し、ビーコン送信装置１０やユーザ端末５０にビーコン信号を送信する。
図２２は、本実施形態によるバッテリ装置の他の概略機能構成を示すブロック図である。バッテリ装置２９は、制御部２９１と、蓄電部２８５とを含んで構成される。本実施形態によるバッテリ装置２９は、図２１に例示するバッテリ装置２８と異なり、ビーコン送信装置１０やユーザ端末５０に等と直接通信する機能を持たない。このように、バッテリ装置２９が通信部等の機能を持たないことにより、バッテリ装置を低コスト化することができる。
制御部２９１は、バッテリ装置２９の全体を制御する機能を持つ。
蓄電部２８５は、電力を蓄積する。充電装置（図示なし）を用いて蓄電部２８５に電力を蓄積することができる。また、蓄電部２８５に蓄積された電力を、エアロゾル生成装置７０に供給することができる。
本実施形態においては、バッテリ装置２９は、装置の個体を識別するためお装置ＩＤを記憶しない。バッテリ装置２９自身は、直接的には、ビーコン送信装置１０やユーザ端末５０とは通信しない。バッテリ装置２９が、エアロゾル生成装置７０に格納された状態であれ、格納されていない状態であれ、充電装置（図示なし）に接続されていることは、その充電装置（図示なし）によって把握され得る。
【００６８】
なお、上述したビーコン送信装置１０と、ユーザ端末５０と、エアロゾル生成装置７０と、サーバ１００と、情報処理装置２００と、情報処理装置２００ａと、ユーザ端末５０ｃ−１と、ユーザ端末５０ｃ−２と、サーバ１００ｃと、情報処理装置２００ｃとは、コンピュータで実現するようにしてもよい。その場合、各機能ブロックの機能を実現するためのプログラムをコンピュータ読み取り可能な記録媒体に記録する。この記録媒体に記録されたプログラムをコンピュータシステムに読み込ませ、ＣＰＵが実行することで実現してもよい。ここでいう「コンピュータシステム」とは、ＯＳ(Operating System)や周辺機器などのハードウェアを含むものとする。
また、「コンピュータ読み取り可能な記録媒体」とは、フレキシブルディスク、光磁気ディスク、ＲＯＭ、ＣＤ−ＲＯＭなどの可搬媒体のことをいう。また、「コンピュータ読み取り可能な記録媒体」は、コンピュータシステムに内蔵されるハードディスクなどの記憶装置を含む。
【００６９】
さらに「コンピュータ読み取り可能な記録媒体」とは、短時間の間、動的にプログラムを保持するものを含んでいてもよい。短時間の間、動的にプログラムを保持するものは、例えば、インターネットなどのネットワークや電話回線などの通信回線を介してプログラムを送信する場合の通信線である。
また、「コンピュータ読み取り可能な記録媒体」には、サーバやクライアントとなるコンピュータシステム内部の揮発性メモリのように、一定時間プログラムを保持しているものも含んでもよい。また上記プログラムは、前述した機能の一部を実現するためのものであってもよい。また、上記プログラムは、前述した機能をコンピュータシステムにすでに記録されているプログラムとの組み合わせで実現できるものであってもよい。また、上記プログラムは、プログラマブルロジックデバイスを用いて実現されるものであってもよい。プログラマブルロジックデバイスは、例えば、ＦＰＧＡ(Field Programmable Gate Array)である。
【符号の説明】
【００７０】
１、１ａ、１ｂ…情報提供システム、１０…ビーコン送信装置、５０、５０ｃ−１、５０ｃ−２、５０ｃ…ユーザ端末、７０…エアロゾル生成装置、１００、１００ｃ…サーバ、２００、２００ａ、２００ｃ…情報処理装置、１１、５１、７１、１５１、２５１…通信部、１２、５２、１５２、２５２…メモリ、１３、５３、５３ｃ、７３、１５３、１５３ｃ、２５３、２５３ｃ…記憶部、１４、５４、７４、１５４、２５４…プログラム、１５、５５、５５ｃ、１５５、１５５ｃ、２５５、２５５ａ、２５５ｃ…アプリ、１７、５７、５７ｃ、７７、１５７、１５７ｃ、２５７、２５７ｃ、２５７ａ…情報処理部、１８、５８、１５８、２５８…受付部、１９、５９、５９ｃ、７９、１５９、１５９ｃ、２５９、２５９ａ、２５９ｃ…作成部、２６４…導出部、６０…処理部、６１、８１…操作部、６２…表示部、２１、８０…検出部、６３、１６３、２６３…バスライン、１５６…ビーコン関連情報、２５６…ユーザ通知情報、２６０…ポイント付与情報、２６１…ポイント情報
【図１】
2020179031.tif 000003
【図２】
2020179031.tif 000004
【図３】
2020179031.tif 000005
【図４】
2020179031.tif 000006
【図５】
2020179031.tif 000007
【図６】
2020179031.tif 000008
【図７】
2020179031.tif 000009
【図８】
2020179031.tif 000010
【図９】
2020179031.tif 000011
【図１０】
2020179031.tif 000012
【図１１】
2020179031.tif 000013
【図１２】
2020179031.tif 000014
【図１３】
2020179031.tif 000015
【図１４】
2020179031.tif 000016
【図１５】
2020179031.tif 000017
【図１６】
2020179031.tif 000018
【図１７】
2020179031.tif 000019
【図１８】
2020179031.tif 000020
【図１９】
2020179031.tif 000021
【図２０】
2020179031.tif 000022
【図２１】
2020179031.tif 000023
【図２２】
2020179031.tif 000024
【国際調査報告】
2020179031.tif 000025
2020179031.tif 000026
2020179031.tif 000027
2020179031.tif 000028
2020179031.tif 000029
2020179031.tif 000030